(57)【要約】  垂れを少なくとも抑えるのに十分低いが、吸収インサートによる冒頭を収容するのに十分高い、横方向伸張性を有する身体ゾーンを備える、再利用可能なシャーシ。
2014533151.tif 000002
【特許請求の範囲】
【請求項１】
着用可能な吸収性物品として使い捨て吸収性インサートと共に使用するように構成された、再利用可能なシャーシであって、
横軸と、
前方腰部縁部及び前記前方腰部縁部の近位に位置する前方腰部ゾーンと、
後方腰部縁部及び前記後方腰部縁部の近位に位置する後方腰部ゾーンと、
前記前方腰部縁部と前記後方腰部縁部との間で長手方向に測定される、再利用可能なシャーシの長手方向全長と、
脚部バンドと、
前記前方腰部ゾーンと前記後方腰部ゾーンとの間で長手方向に配置され、前記脚部バンドに対して横方向内側に配置され、かつ前記横軸と重なる、身体ゾーンと、を備える、再利用可能なシャーシであって、
前記再利用可能なシャーシは、
前記再利用可能なシャーシが平坦に置かれたとき、前記再利用可能なシャーシの最も狭い横方向幅が、前記長手方向全長の２０％以上であるが、前記長手方向全長の６０％以下であり、
前記身体ゾーンが、横方向伸張性試験に従って試験されたとき、０．０３Ｎ／ｍｍ以上〜０．２４Ｎ／ｍｍ以下の横方向伸張性を有することを特徴とする、再利用可能なシャーシ。
【請求項２】
前記シャーシが平坦に置かれたとき、前記再利用可能なシャーシの最も狭い横方向幅は、前記長手方向全長の２３％以上であり、より好ましくは２６％以上であり、更により好ましくは２９％以上であるが、前記長手方向全長の５２％以下、より好ましくは４４％以下、更により好ましくは３６％以下である、請求項１に記載の再利用可能なシャーシ。
【請求項３】
前記身体ゾーンが、横方向伸張性試験に従って試験されたとき、０．０７Ｎ／ｍｍ以上、より好ましくは０．１１Ｎ／ｍｍ以上、更により好ましくは０．１５Ｎ／ｍｍ以上であるが、０．２２Ｎ／ｍｍ以下、より好ましくは０．２０Ｎ／ｍｍ以下、更により好ましくは０．１８Ｎ／ｍｍ以下の横方向伸張性を有する、請求項１又は２に記載の再利用可能なシャーシ。
【請求項４】
前記前方腰部ゾーンが、耳部伸張性試験に従って試験されたとき、４Ｎ以上、より好ましくは６Ｎ以上、更により好ましくは８Ｎ以上であるが、１６Ｎ以下、より好ましくは１４Ｎ以下、更により好ましくは１２Ｎ以下の横方向伸張性を有する、請求項１〜３のいずれか一項に記載の再利用可能なシャーシ。
【請求項５】
前記前方腰部ゾーンが、前記前方腰部縁部に隣接する、請求項１〜４のいずれか一項に記載の再利用可能なシャーシ。
【請求項６】
前記後方腰部ゾーンが、耳部伸張性試験に従って試験されたとき、４Ｎ以上、より好ましくは６Ｎ以上、更により好ましくは８Ｎ以上であるが、１６Ｎ以下、より好ましくは１４Ｎ以下、更により好ましくは１２Ｎ以下の横方向伸張性を有する、請求項１に記載の再利用可能なシャーシ。
【請求項７】
前記後方腰部ゾーンが、前記後方腰部縁部に隣接する、請求項１〜７のいずれか一項に記載の再利用可能なシャーシ。
【請求項８】
請求項１〜７のいずれか一項に記載の再利用可能なシャーシ及び吸収性インサートを含む、着用可能な吸収性物品。
【請求項９】
前記吸収性インサートが、使い捨て吸収性インサートである、請求項８に記載の着用可能な吸収性物品。
【請求項１０】
前記使い捨て吸収性インサートが、超吸収性粒子を含む、請求項９に記載の着用可能な吸収性物品。
【発明の詳細な説明】
【背景技術】
【０００１】
着用可能な吸収性物品には、おむつ及び失禁用下着が挙げられる。着用可能な吸収性物品は、着用者によって着用されている間、排泄物を受容し、含むことができる。一部の着用可能な吸収性物品は、再利用可能なシャーシ及び吸収性インサート有し、このインサートは使い捨て吸収性インサート又は再利用可能な吸収性インサートであり得る。かかる物品を使用することで、完全に使い捨て吸収性物品と比較して、廃棄物を低減することができる。
【０００２】
しかしながら、一部の着用可能な吸収性物品は、再利用可能なシャーシの身体ゾーンが、正しい横方向の伸張性を備えて構成されていない場合、性能が低いことがある。身体ゾーンが、高すぎる横方向の伸張性を有する場合、物品が身体排泄物を受けるときに、シャーシの部分は垂れる傾向になる場合があり、物品を美しくないものにする。身体ゾーンが、低すぎる横方向の伸張性を有する場合、物品が身体排泄物を受けるときに、シャーシは、吸収性物品よる膨張を収容しない場合があり、物品に漏出を生じさせる。
【図面の簡単な説明】
【０００３】
【図１】着用者により下部胴体の周りに着用されて示されている、着用可能な吸収性物品の斜視図である。
【図２Ａ】外表面が見る人に面している、開かれかつ平らにされたシャーシの平面図である。
【図２Ｂ】内表面が見る人に面している、開かれかつ平らにされたシャーシの平面図である。
【図３】自立した弛緩状態で示されている、シャーシから切り離されて示されている使い捨て吸収性インサートの斜視図である。
【図４】身体に面する面が見る人に面している、延伸され平らにされて示されている使い捨て吸収性インサートの平面図である。
【図５Ａ】図４の線５Ａ−５Ａで切断された、図４に示されるようなインサートの例の断面図である。
【図５Ｂ】図４の線５Ｂ−５Ｂで切断された、図４に示されるようなインサートの別の例の断面図である。
【図５Ｃ】図４の線５Ｃ−５Ｃで切断された、図４に示されるようなインサートの別の例の断面図である。
【図５Ｄ】図４の線５Ｄ−５Ｄで切断された、図４に示されるようなインサートの別の例の断面図である。
【図５Ｅ】図４の線５Ｅ−５Ｅで切断された、図４に示されるようなインサートの別の例の断面図である。
【図５Ｆ】図４の線５Ｆ−５Ｆで切断された、図４に示されるようなインサートの別の例の断面図である。
【発明を実施するための形態】
【０００４】
定義
この説明の目的上、以下の用語は、次に記載の意味を有するものとする。
「吸収性インサート」とは、尿、糞便、経血又はこれらの任意の組み合わせを収容及び／又は吸収するように適合され、かつ構成部分単位としてシャーシに設置可能及びシャーシから取り外し可能であるように適合された、着用可能吸収性物品の構成要素を意味する。
【０００５】
「シャーシ」とは、着用者の下部胴体の周りに着用されるように適合され、かつ吸収性インサートを支持して、インサートを着用者の身体の近くに保持するように適合された、着用可能な吸収性物品の構成要素を意味する。
【０００６】
「使い捨て」とは、吸収性インサートについて言及する場合、吸収性インサートが、通常の家庭での洗濯プロセス及び住宅設備で効果的に衛生的に洗濯されるように適合又は意図されておらず、したがって通常は、排出物によって汚れてシャーシから取り外された後に、新品同様の意図された機能及び性能を提供するために、衛生的かつ効果的に再使用するのに好適でないことを意味する。非限定的な例として：再使用の際に新品同様に有効となるように通常の家庭での洗濯及び乾燥を経て、それらの実質的な新品同様の物理的形状又は構造を維持することができない；水性液体を吸収し、再使用の際に新品同様に有効となるように通常の家庭用乾燥装置及び通常の乾燥サイクルで十分に乾燥／脱水されることができない；通常の家庭での洗濯又は乾燥によって溶解して又は実質的に分解して、インサートが実質的に損傷を受ける又は役に立たなくなる；及び／又は、通常の洗濯によって、再使用のために衛生上又はその他で許容可能となるように排出物質を有効に洗浄することができない、材料及び／又は構成体を含むことによって、効果的な洗濯が失敗させられ又は阻止されて、インサートが使い捨てにされる可能性がある。
【０００７】
「締結構成要素」とは、第１の構造体と第２の構造体の取り外し可能な締結、取り付け、又は保持をもたらすシステムの任意の要素を意味する。このシステムは、単一締結構成要素、例えば、第２の構造体の１種類以上の表面に付着するように適合された第１の構造体上の接着パッチ、若しくはフック、又は第２の構造体の１種類以上の表面を引っかけるように適合された第１の構造体上のフックのパッチ、を備えてもよい。更なる例として、第２の構造体を全て又は一部において捕捉する及び保持するように構成された、第１の構造体上のポケット、ストラップ、フック、バックル等の任意の構造体は、本明細書において使用される「締結構成要素」である。システムはまた、２つ以上の締結構成要素、例えば、フック・ループ締結システム（例えば、ＶＥＬＣＲＯ）の各要素、凝集剤材料が塗布された各表面、雄型及び雌型スナップ締結構成要素、ボタン及びボタン穴、スロット又はループ、他の締結可能に協働する要素などを含み得る。締結構成要素の他の実施例はジッパー構成要素、「ジップロック」係合構成要素、ループ、ポスト、ポケット、バンド又はストラップ、マイクロ締結具、マクロ締結具、及び米国特許第６，９３６，０３９号、同第６，８９３，３８８号、同第６，６６９，６１８号、同第６，４３２，０９８号、及び同第６，２５１，０９７号、並びに、米国特許出願公開第２００５／０２３４４１９号、同第２００５／０２１５９７１号、同第２００５／０２１５９７０号、同第２００５／０１３０８２１号、同第２００４／００２３７７１号、同第２００３／０２３３０８２号、同第２００３／０１１９６４１号、同第２００３／００８８２２０号、同第２００２／０１６９４３１号に記載される締結構成要素が挙げられる。
【０００８】
「横方向」（及びその文法的変形）とは、着用者に関し、着用者の前部から後部（又は逆もまた同様）に延びる方向と略横断する又は交差する方向に沿っていることを意味する。着用可能な吸収性物品の構成要素に関し、「横方向」（及びその文法的変形）とは、構成要素が着用者の上に適切に位置している場合に着用者の前部から後部（又は逆もまた同様）に構成要素に沿って延びる方向と略横断する又は交差する方向に沿っていることを意味する。
【０００９】
「長手方向」（及びその文法的変形）とは、着用者に関し、着用者の前部から後部（又は逆もまた同様）に概ね延びる方向に沿っていることを意味する。着用可能な吸収性物品の構成要素に関し、「長手方向」（及びその文法的変形）とは、構成要素が着用者の上に適切に位置している場合に着用者の前部から後部（又は逆もまた同様）に構成要素に沿って概ね延びる方向に沿っていることを意味する。
【００１０】
「再利用可能」とは、シャーシについて言及するとき、シャーシの実質的に新品同様の機能性を提供するのに必要なシャーシのあらゆる構成要素を実質的に破壊することなく、かつ、インサートの交換の後にあらゆる修理又は再構築の必要なく、少なくとも第１のインサートの取り外し、及び少なくとも第２のインサートとの交換を可能にするように適合されたシャーシを意味する。
【００１１】
「使用」とは、シャーシに関し、吸収性インサートが交換されるまでシャーシを着用する１つの事象を意味する。
【００１２】
「ユーザ」とは、着用可能な吸収性物品を着用者に適用することができる世話人又はその他の人を意味する。着用者が着用可能な吸収性物品を自分自身に身に着けることができる場合、着用者もまた「ユーザ」である。
【００１３】
「着用者」とは、本明細書に記載の着用可能な吸収性物品を着用することができる人を意味する。
【００１４】
「着用可能な吸収性物品」とは、下部胴体の周りに着用されるように、並びに尿、糞便、経血又はこれらの任意の組み合わせを収容及び／又は吸収するように設計された任意の物品を意味する。「着用可能な吸収性物品」には、（「テープ」締結可能な、別の方法で締結可能な、「プルアップ式」の、又は任意のその他の種類の）乳児又は幼児用おむつ、トレーニングパンツ及び成人用失禁パンツ、ブリーフ等が挙げられるが、これらに限定されない。
【００１５】
二部分からなる着用可能な吸収性物品
図１は、着用者により着用されて示されている、一定の特徴を有する着用可能な吸収性物品１０の例を示す。着用可能吸収性物品１０は、前側腰部縁部２１と、後側腰部縁部２２と、一対の脚部開口部縁部２３とを有する外側シャーシ２０を含んでもよい。
【００１６】
図２Ａ及び図２Ｂは、開かれかつ平らにされて示されているシャーシ２０を示している。図２Ａでは、シャーシ２０の外表面が見る人に面しており、図２Ｂでは、シャーシ２０の内表面が見る人に面している。前方及び後方腰部縁部２１、２２は、それぞれ、図面の上部及び下部に示されている。シャーシ２０は、股領域２６と、前側領域２７と、後側領域２８と、後側領域２８から横方向に延びる一対の締結用耳部２９とを有していてもよい。シャーシ２０は、前側腰部縁部２１の一番前の部分から後側腰部縁部２２の一番後ろの部分までの長さと、この長さを均等に分割するシャーシ横方向軸４５とを有する。したがって、前側領域２７はシャーシ横方向軸４５より前方であり、後側領域２８はシャーシ横方向軸４５より後方である。シャーシ２０は、前側及び後側インサート締結要素３３、３２など、その上に配置された１つ以上のインサート締結要素を有してもよい。
【００１７】
図２Ａ及び２Ｂに示されるように、シャーシ２０は、前方腰部縁部２１に隣接する前方腰部ゾーン２２０と、後方腰部縁部２２に隣接する後方腰部ゾーン２４０と、前方腰部ゾーン２２０と後方腰部ゾーン２４０との間に配置され、かつ横方向軸４５と重なる、身体ゾーン２３０と、を有する。別の実施形態では、前方腰部ゾーンは、前方腰部縁部の近位に位置し得、及び／又は後方腰部ゾーンは後方腰部縁部の近位に位置し得る。
【００１８】
以下に記載の全ての測定値は、シャーシが平坦に置かれたときに作成される。シャーシ２０は、前方腰部縁部２１と後方腰部縁部２２との間で長手方向に測定される、長手方向全長２１０を有する。前方腰部ゾーン２２０は、前方腰部縁部２１と前方腰部ゾーン２２０の長手方向最内範囲との間で測定される、長手方向全長を有する。後方腰部ゾーン２４０は、後方腰部縁部２２と後方腰部ゾーン２４０の長手方向最内範囲との間で測定される、長手方向全長を有する。
【００１９】
身体ゾーン２３０は、前方腰部ゾーン２２０と後方腰部ゾーン２４０との間で長手方向に配置され、脚部バンド３６に対して横方向内側に配置され、かつ横軸４５と重なる。身体ゾーン２３０は、前方腰部ゾーン２２０の長手方向最内範囲と、後方腰部ゾーン２４０の長手方向最内範囲との間で長手方向に測定される、長手方向全長を有する。シャーシ２０は、脚部開口縁部２３の間の最短距離として、横方向に測定される最も狭い横方向幅２５０を有する。最も狭い横方向幅２５０は、身体ゾーン２３０内にある。
【００２０】
身体ゾーン２３０は、シャーシの長手方向全長２１０の３０〜７０％、又はこれらの値の間の整数の％、又はこれらの％のいずれかによって形成されるいずれかの範囲の長手方向全長を有することができる。前方腰部ゾーン２２０及び後方腰部ゾーン３４０はそれぞれ、シャーシの長手方向全長２１０の１０〜４０％、又はこれらの値の間の整数の％、又はこれらの％のいずれかによって形成されるいずれかの範囲の長手方向全長を有することができる最も狭い横方向幅２５０は、シャーシの長手方向全長２１０の２０〜６０％、又はこれらの値の間の整数の％、又はこれらの％のいずれかによって形成されるいずれかの範囲であってもよい。
【００２１】
身体ゾーン２３０は、０．０３〜０．２４Ｎ／ｍｍ、又はこれらの値間の０．０１Ｎ／ｍｍの増加、又はこれらの値のいずれかによって形成されるいずれかの範囲である横方向伸張性を有することができる。耳部伸張性試験を実施したとき、本明細書に記載のように、前方腰部ゾーン２２０及び後方腰部ゾーン３４０のいずれか、又は両方は、４〜１６Ｎ、又はこれらの値の任意の整数、又はこれらの値のいずれかによって形成される範囲である横方向伸張性を有することができる。
【００２２】
図３は、シャーシ２０を切り離し、立ち上がった状態の、弛緩状態で示されている、着用可能吸収性物品１０の内部構成要素を形成することができる使い捨て吸収性インサート５０を斜視図で示している。インサート５０は、身体排出物を収容及び／又は吸収するように設計されていてもよく、以下に更に記載されるような可撓性材料で作製されてもよい。インサート１０は、前方区域５４と、後方区域５５と、を備えており、前方締結構成要素５６と、後方締結構成要素５７と、を備えていてもよい。インサート１０は、身体に面するライナー又はトップシート５１と、外側ライナー又はバックシート５２と、一対の起立カフ５３と、を含んでもよい。図４を参照すると、インサート５０は、前方領域５４の一番前の部分から後方領域５５の一番後ろの部分までの長さを有し、インサート横方向軸７０はこの長さを均等に分割する。したがって、前方区域５４はインサート横方向軸７０より前方であり、後方区域５５はインサート横方向軸７０より後方である。
【００２３】
図２Ｂ及び３を参照して、インサート５０はその内部に配置された後方締結具構成要素５７を有してもよい。あるいは、又はこれに加えて、シャーシ２０は、その上に配置された後側インサート締結要素３２を有していてもよい。同様に、インサート５０は、インサート上に配置された前方締結構成要素５６を備えてもよい。あるいは、又はこれに加えて、シャーシ２０は、その上に配置された前側インサート締結要素３２を有していてもよい。２つの要素からなる締結システムを使用する場合、締結構成要素対５７、３２及び５６、３３は、これらの対応の要素が合体されたときにそれらの間に締結をもたらす協働要素であってもよい。したがって、示されている例では、吸収性インサート５０をシャーシ２０内に設置するために、ユーザはシャーシ２０を平らに置き、内表面２５を上に向け、後側締結要素５７が後側インサート締結要素３２に面しかつ前側締結要素５６が前側インサート締結要素３３に面するようにインサート５０を広げて向きを定め、それらの間に締結をもたらすためにこれら対応の締結要素対５７、３２及び５６、３３を合体させることができる。
【００２４】
シャーシ２０が再利用可能であることが望ましい場合は、インサートの取り外し及び交換の後にシャーシ２０が（洗濯又は廃棄を必要とせずに）実質的に衛生的で有用であるのを保つために、着用者が排泄物（特に糞便）を排出した後に、シャーシ２０の全ての部分を実質的に汚されていない状態に保つことが望ましくあり得る。したがって、インサート５０をシャーシ２０内に設置する際に、少なくとも排出物を排泄する着用者の身体特徴に近接する領域内において、インサート５０の着用者に面する表面のかなりの部分に横たわる又はこれを覆うシャーシ２０の取り外し可能でない部分又は構成要素が存在しない（別の表現をすると、着用可能吸収性物品が着用されたときに、シャーシ２０の取り外し可能でない部分又は構成要素が、インサート５０のかなりの部分と着用者との間に位置しない）ことが望ましくあり得る。したがって、着用可能吸収性物品が着用されたときに、シャーシ２０は、シャーシ２０内のインサート５０の着用者に面する表面のかなりの部分を覆う又は収容する取り外し可能でないカバーシート等を含まず、そしてまた、排出物の排泄ポイントに近接するインサートを実質的に包み込む又は覆う、あるいは実質的にインサート５０と着用者の肛門及び／又は生殖器との間に位置する、ポケット、ストラップ又はフラップなどの上部構造を含まないのが望ましくあり得る。シャーシ２０がそのような上部構造を有さない場合、このことは、着用者の排出物がインサート５０のみに接触し、シャーシ２０の一部分に接触しない可能性を高める。
【００２５】
図１、図２Ａ及び図２Ｂを参照すると、股領域２６が着用者の脚の間にあり、前側腰部縁部２１及び後側腰部縁部２２を図１におおよそ示されるような位置に持っていき、それから締結用耳部２９を前側領域２７に固定して、図１に示されるように着用者の周囲にパンツ様衣類が形成されるように、着用者の脚の間及び臀部の下にシャーシ２０を包み込むことによって、着用可能吸収性物品１０が着用者の上に設置され得るのがわかる。インサート５０がシャーシ２０の中に設置されると、次に、インサート５０はシャーシ２０内で着用者の近くに配置され、起立カフ５３は向きを定められて、脚縁部２３の内側部分に隣接して長手方向に（すなわち、着用者の脚の間で長手方向に）延びる。
【００２６】
考えられるシャーシの詳細の例
締結システム
図２Ａ及び図２Ｂを参照すると、締結用耳部２９と前側領域２７との締結を可能にするために、締結用耳部２９は、その上に配置されたシャーシ締結要素３０を有することができる。あるいは、又はこれに加えて、前方区域２７は、前方区域上に配置された１つ以上の受け側締結構成要素３１を有することができる。締結構成要素３０、３１は、耳部２９と前方区域２７の締結をもたらすために協働するように選択され得る。
【００２７】
１つの例において、シャーシ締結要素３０はフックのパッチを有してもよく、受け側締結要素３１はループのパッチを有してもよい。好適なフックアンドループ締結システムの例は、ＶＥＬＣＲＯシステム（Ｖｅｌｃｒｏ  Ｉｎｄｕｓｔｒｉｅｓ  Ｂ．Ｖ．の製品）である。フックアンドループ締結システムは特定の利点を提供する。個々のフックアンドループ要素はシート状で供給されるので、これらシート状の要素を適切な形状のパッチに切断することができ、このパッチを、接着剤結合、機械的結合、超音波接合、縫合、縫製、縁かがり、縁取り等の様々な手段で、布又は不織布基材に添着することができる。図２Ｂに示されるように、フック又はループのパッチを締結用耳部２９に添着してシャーシ締結要素３０を形成する場合、図２Ａに示されるように、協働するフック又はループ材料の横方向に延びるパッチは、シャーシ前側領域２７に添着されて受け側締結要素３１を形成することができる。耳部２９と前方区域２７の締結を、その上の横方向に異なる位置に提供することにより、この構成は、着用可能な吸収性物品の腰部開口部寸法の容易で単純な調節機能をもたらす。
【００２８】
別の例では、上述のとおり、シャーシ締結システムは他の種類の締結要素を含んでもよい。腰部開口部寸法の調節機能を提供するために、前側領域２７に配置された拡張された面又は複数の協働締結要素と協働する、締結用耳部２９上に配置された締結要素を使用してもよい。受け側締結要素は、前側領域２７上に横方向配列で多重配置されて、対応の耳部２９を前側領域２７の横方向に異なる位置に締結可能にすることができる。
【００２９】
図２Ｂを参照すると、シャーシ２０は、その上に配置された１つ以上の対応の締結具プロテクタ３９を更に有してもよい。この特徴は、保管、運搬、洗濯、及び同様の／関連した活動の間に、シャーシ、又は他の物品、の一部分に無作為に又は意図せずに係合しやすい及び引っかかりやすい特徴を有する締結要素が、そのようになるのを防止して、そのような活動中に起こり得る塊化（bunching）、絡み合い及び／又はシャーシ２０若しくは他の物品のいずれかへの損傷を回避することができる。例えば、締結要素３０がフックのパッチである場合、適切に載置された締結具プロテクタ３９は、対応するループのパッチを含んでもよい。これにより、ユーザは、フック要素を有する耳部２９の一部分を保持可能に折り重ねて、シャーシ２０が着用されていないときにはフック要素を覆って、フック要素が他の物品に引っかかるのを防止することができる。
【００３０】
材料
シャーシ２０、及び／又はシャーシ２０の層又は一部分は、意図される着用者の皮膚との適切な適合性を有している、任意のニット生地、織布、若しくは不織布地、又は布様材料で製造されることができる。シャーシ２０は、耐久性のある材料及び／又は半耐久性の材料で構成されてもよい。一般に、本説明における参照のみを目的として、「耐久性のある」は、洗濯可能な衣類物品の構成要素として使用され得る、あらゆる種類の織布材料又はニット生地材料を指し、「半耐久性」は、シャーシの材料として使用されるときに、役に立たない状態になる程度までその構造的一体性を失わずに、インサートを備えた２回以上の使用に耐えることができる不織布材料又はその積層体を指す。このように、シャーシ２０は、シャーシ２０を再利用可能及び／又は洗濯可能にする材料及び構成体で構成され得る。
【００３１】
シャーシ２０を作製することができる耐久性のある材料は、おむつ、パンツ、下着、高性能衣類、スポーツ衣類、又は一般的な衣類若しくは紡織分野において既知の、任意の天然又は合成繊維材料を含むことができる。耐久性のある材料は、綿、亜麻布、羊毛、竹、麻布、絹、レーヨン等の天然繊維、並びに、これらの繊維のいずれかと他のいずれかとのブレンド、又はこれらの繊維のいずれかと合成繊維とのブレンドで作られる織布又はニット生地を含むことができる。耐久性のある材料の構成要素として使用するのに好適な合成繊維の例には、ポリエステル、ナイロン、スパンデックス及び／又はその他のエラストマー繊維が挙げられる。耐久性のあるシャーシ材料はまた、ＧＯＲＥ−ＴＥＸ（Ｗ．Ｌ．Ｇｏｒｅ  ＆  Ａｓｓｏｃｉａｔｅｓ，Ｉｎｃ．，Ｅｌｋｔｏｎ，ＭＤの製品）；ＯＵＴＬＡＳＴ  ＣＯＭＦＯＲＴＥＭＰ繊維（Ｏｕｔｌａｓｔ  Ｔｅｃｈｎｏｌｏｇｉｅｓ，Ｂｏｕｌｄｅｒ，ＣＯの製品、例えば、米国特許第６，５１４，３６２号及び同第６，２０７，７３８号を参照のこと）、ＣＯＯＬＭＡＸ（Ｉｎｖｉｓｔａ，Ｗｉｃｈｉｔａ，ＫＳの製品）等のマイクロカプセル化した相変化高分子材料を含む繊維などの、通気性の良い撥水加工が施された材料を含むことができる。
【００３２】
好適な耐久性のある材料は、バーズアイ織物、テリー織、フリース、フランネル、ニット、ストレッチニット、シェルパ、スエード布地、マイクロフリース、サテン、ベロア、バーレイニットなどを含む任意の模様又は織物の形態であり得る。好適な例としては、ＰＯＬＡＲＴＥＣＨ  ＰＯＷＥＲ  ＤＲＹ、ＰＯＷＥＲ  ＳＴＲＥＴＣＨ、及びＷＩＮＤ  ＰＲＯ（Ｐｏｌａｒｔｅｃ，ＬＬＣ（Ｌａｗｒｅｎｃｅ，ＭＡ）の製品）が挙げられる。織布材料又は不織布材料よりも本質的に伸縮性があり弾性であり得るニット生地は、より良好な密着、快適性及び／又は外観をシャーシに付与することができる。スパンデックス繊維又は他のエラストマー繊維を組み込むことにより、伸縮性及び弾力性を高めることができ、それにより、そのような弾性繊維を含まない布地よりも良好な密着、快適性及び／又は外観をシャーシに付与することができる。
【００３３】
耐久性のあるシャーシの材料の特定の好適な材料には：レーヨン（９３％）とスパンデックス（７％）繊維；モーダル（９４％）とスパンデックス（６％）繊維；綿とスパンデックス繊維；及び竹とスパンデックス繊維、のブレンドのジャージーニットが挙げられる。約２Ｘ以上の伸張能力を有する材料が望ましくあり得る。材料の好適な例は、１層につき約０．０１４〜０．０２３グラム／インチ２（０．０９〜０．１５グラム／ｃｍ２）の坪量、又はその他の坪量を有していてもよい。
【００３４】
耐久性のあるシャーシの材料は、所望の快適性、外観及び性能をシャーシ２０に付与するように選択されてもよい。ある状況では、広範囲にわたって汚れる又は損傷を受けた場合に、費用及び罪悪感の問題を最小限にして廃棄できるように、十分に安価な耐久性のあるシャーシ材料を選択するのが望ましくあり得る。
【００３５】
半耐久性のシャーシ材料は、おむつ又はパンツの分野で既知の、任意の天然又は合成の不織布ウェブ及び／又はフィルム材料を包含することができる。シャーシ２０を構成することができる半耐久性の材料は、使い捨ておむつの構成要素として用いられる不織布ウェブ材料を形成するために使用される、ポリプロピレン及び／又はポリエチレン繊維、ポリエステル繊維、並びに任意のその他の合成繊維、及びこれらのブレンドの不織布ウェブ材料を包含することができる。綿、亜麻布、羊毛、竹、麻布、絹、レーヨン等の天然繊維は、シャーシ２０の構成要素層として好適なそのような不織布ウェブを形成するために、合成繊維とブレンドされてもよい。
【００３６】
半耐久性のシャーシ材料として使用されることが考慮され得る繊維、不織布、及び不織布とフィルムとの積層体の非限定的な例は、米国特許第７，２２３，８１８号；同第７，２１１，５３１号；同第７，０６０，１４９号；同第６，９６４，７２０号；同第６，９０５，９８７号；同第６，８９０，８７２号；同第６，８８４，４９４号；同第６，８７８，６４７号；及び同第５，５１８，８０１号；並びに米国公開出願第２００８／０３１９４０７号；同第２００８／００４５９１７号；同第２００７／０２９３１１１号；同第２００７／０２８７９８３号；同第２００７／０２８７３４８号；同第２００７／０２４９２５４号；同第２００７／０２０３３０１号；及び同第２００５／０１６４５８７号に見出すことができる。
【００３７】
半耐久性のシャーシ材料はまた、所望の快適性、外観及び性能をシャーシ２０に付与するように選択されてもよい。ある状況では、広範囲にわたって汚れる又は損傷を受けた場合に、費用及び罪悪感の問題を最小限にして廃棄できるように、十分に安価な半耐久性のシャーシ材料を選択するのが望ましくあり得る。
【００３８】
シャーシはまた、又は更には、改善された液体浸透耐性及び／又は弾性特性を提供するために、弾性であり得る積層された又は実質的に独立したフィルム層を有してもよい。弾性特性は、弾性ストランド、バンド、スクリム等などの他の材料を、層、バンド、又はストリップ形式でシャーシに加えることによって付加される又は強化されることもできる。フィルム層は、耐久性のある材料又は半耐久性の材料と共に積層されてもよい。フィルム層は、ＫＲＡＴＯＮ（Ｋｒａｔｏｎ  Ｐｏｌｙｍｅｒｓ  Ｕ．Ｓ．，ＬＬＣ，Ｈｏｕｓｔｏｎ，Ｔｅｘａｓの製品）ベースのエラストマーを含んでもよく、又は更なる例として、ＥｘｘｏｎＭｏｂｉｌ  Ｃｈｅｍｉｃａｌ  Ｃｏｍｐａｎｙ，Ｈｏｕｓｔｏｎ，ＴＸから入手可能なＶＩＳＴＡＭＡＸＸをベースとするエラストマー；ＦＬＥＸＡＩＲＥ、ＥＸＴＲＡＦＬＥＸ又はＦＡＢＲＩＦＬＥＸ（Ｔｒｅｄｅｇａｒ  Ｆｉｌｍ  Ｐｒｏｄｕｃｔｓ  Ｃｏｒｐｏｒａｔｉｏｎ，Ｒｉｃｈｍｏｎｄ，ＶＡの製品）、及びＦｕｌｆｌｅｘ  Ｅｌａｓｔｏｍｅｒｉｃｓ  Ｗｏｒｌｄｗｉｄｅ（Ｇｒｅｅｎｖｉｌｌｅ，ＴＮ）から入手可能な種々のラテックスを含有しないエラストマーシートを含んでもよい。
【００３９】
エラストマー材料を布若しくは不織布層の繊維状構成要素として又はフィルム層として含有することは、着用者の臀部及び／又は腰部エリア周囲などにかけての着用者の生体構造及び動きに順応するために有用となり得る伸縮性及び弾性の改良、並びにフィット及び快適さの改善をもたらす。更に、フィルム層を含む場合には、更なる液体閉じ込め能力をシャーシに付与することができる。着用されている状態のシャーシ内に通気性を提供して湿度を低減し、液体閉じ込め能力が望ましい場合に皮膚が水分過剰になる可能性を低減するために、フィルム層は、実質的に液体不透過性であるが蒸気透過性であるフィルムを包含してもよい。
【００４０】
図２Ａを参照すると、１つの例において、外表面２４は、耐久性のある材料又は半耐久性の材料の第１の層により形成されてもよい。選択される材料は、疎水性を有して、かかる第１の層に改善された液体閉じ込め特性を提供する繊維を包含することができる。しかしながら、別の例では、材料がもっと簡単に液体を吸収及び／又は透過することができるように、選択される材料が、親水性繊維、又は親水性になるように処理された繊維を包含することが、ある状況では望ましくあり得る。これは、液体排出物がインサートから流出する事象に対してシャーシ内に追加の吸収性を提供する、又は液体排出物がインサートから流出したことをユーザに知らせる１つの方法を提供するのに貢献することができる。更に、ある状況では、ユーザ及び／又は着用者が魅力的だと感じる心地よい感触を有するように、選択される材料は柔らかな触覚性を有するのが望ましくあり得る。材料はまた、色合い、光沢、質感等を非限定的に含む所望の外観を有するように選択されてもよい。
【００４１】
図２Ｂを参照すると、別の例において、内表面２５は、耐久性のある材料又は半耐久性の材料の第２の層で形成されてもよい。選択される材料は、疎水性を有して、第２の層に改善された液体閉じ込め特性を提供する繊維を包含することができる。しかしながら、別の例では、材料がもっと簡単に液体を吸収及び／又は透過することができるように、選択される材料が、親水性繊維、又は親水性になるように処理された繊維を包含することが、ある状況では望ましくあり得る。これは、液体排出物がインサートから流出する事象に対してシャーシ内に追加の吸収性を提供する、液体排出物がインサートから流出したことをユーザに知らせる１つの方法を提供する、及び／又はより乾燥したより快適な感触を目的として、皮膚から水分を引き離す傾向がある層を提供するのに貢献することができる。更に、ある状況では、皮膚に対して、特にシャーシと着用者の皮膚との間にインサートのどの部分も存在しないことが見込まれる領域内の皮膚に対して心地よい感触を有するように、選択される材料が柔らかな触覚性を有するのが望ましくあり得る。別の例では、材料の第２の層は、例えば、エラストマー材料の繊維（例えば、スパンデックス）を含むなどして強化された弾力性を有する繊維材料で形成されてもよい。別の例では、中間フィルム層を別の層と共に包含してもよく、積層してもよく、又は積層しなくてもよい。
【００４２】
上述のように、２つ以上の層（例えば、２つ、又はそれより多くの層）のシャーシ２０を形成することにより、様々な利益を提供することができる。第２の層（及び任意の追加層）は、シャーシ２０全域に、横方向と長手方向の両方の追加の引張り強度を提供することができる。更に、第１の層は第１の一連の特性のために選択されてもよく、第２の層は第２の一連の特性を目的として選択されてもよい。例えば、第１の層を形成する材料は、比較的高い弾力性、並びに特定の質感、色及び／又はその他の外観に関連した特性を有するように選択されてもよく、第２の層を形成する材料は、内層の目的上、比較的高い疎水性及び／又は皮膚に対する柔軟性を有するように選択されてもよく、２つの層は組み合わされて、所望の特性の組み合わせをシャーシに付与する。更に、単一層と比べて、複数の層は、より滑らかでより魅力的な外観を目的として、インサートの隆起、角部、シーム、又はその他の特徴を包み隠すように良好に機能する。
【００４３】
異なる材料の異なる層を形成するのに加えて、異なる材料の単一層、例えば、シャーシのそれぞれの前側領域、股領域及び／又は後側領域の材料が異なる単一層を形成するのが望ましくあり得る。そのような異なる材料は、内部シーム４０及び／又は外部シーム４１などのシームで結合されてもよい。例えば、後方区域２８の内表面を主に形成する材料は、主として、着用者の体輪郭の周囲に密着嵌合（snug fit）を提供し、かつ着用者の動き（すなわち、臀部及び腰回りの周囲）に適合するように良好に機能し得る弾性特徴を目的として選択されてもよい。比較として、前側領域２７及び／又は股領域２６の内表面を主に形成する材料は、主として、液体排出物を収容するように良好に機能し得る疎水性特徴を目的として選択されてもよい。
【００４４】
シャーシの層又はその他の要素は、例えば、接着剤、機械的結合、超音波接合、縫合、縫製、縁かがり、縁取り等の任意の好適な手段によって互いに結合されてもよい。
【００４５】
伸縮性腰部バンド、脚部バンド
図１、図２Ａ及び図２Ｂを再び参照すると、前方腰部バンド部分３４、後方腰部バンド部分３５、及び脚部バンド部分３６が図示されている。これらバンド部分３４、３５、３６の１つ以上は、スパンデックスなどのエラストマー高分子材料の１つ以上のストランド又はストリップで形成されてもよく、このストランド又はストリップは、シャーシ２０の内層及び／又は外層を形成する材料の縁部を包含し得る不織布又は繊維材料に被包されて、それぞれのバンド部分を形成しかつ伸縮性を持たせる。弾性材料は、ピンと張った状態で、又は加えられた歪みゼロで、シャーシ層に又はシャーシ層内に添着され得る。弾性ストランド又はストリップを被包する繊維材料は、弾性ストランド又はストリップの周囲に縫い付けられて、それらをそれぞれのバンド部分の中の定位置に保持することができる。製造プロセス中に、これらのバンド部分を形成するために弾性材料が被包される及び添着される前に及びその間に、弾性材料がピンと引っ張られると、弛緩の際に、被包材料及び隣接するシャーシ材料にギャザーが寄り、それに沿って波打ち構造（ruffle）３７が形成され、ギャザーの付いたシャーシ材料がもたらされる。これは、密着嵌合、着用者の快適性及び外観を改善するのを助けることができる。バンド部分は、シャーシの縁部に沿って配置されてもよく、ある状況では、シャーシ２０が着用されている間、着用者の脚及び／又は腰部を実質的に若しくは完全に包囲するバンドを形成するように、脚部及び／又は腰部開口部のほぼ全長に沿って位置付けられたバンド部分を有するのが望ましくあり得る。波打ち構造３７内のギャザーが付けられた材料は、腰部バンド部分３４、３５及び脚部バンド部分３６の線形伸縮に適合するように機能し得る。記載されたような伸縮性脚部バンド部分３６を含むこの構成は、着用者の脚の周囲により良好な密着をもたらすことができるだけでなく、適切に寸法設定されかつ成形された材料で作製された場合に、シャーシ２０が着用されたときに股領域に袋様構造体７５（図１参照）を形成するのを可能にすることができ、この袋様構造体７５は、シャーシ内にインサート５０（図３）を収容するための空隙を提供し、かつインサート５０をシャーシ２０内の定位置で、股領域内で実質的に横方向に中心合わせされた位置に保持するのを助けるように機能し得る。このことは、以下に更に説明されるように、任意の長手方向中間位置にではなく、インサート５０の各末端部の近くのみに位置決めされた締結要素によって、インサート５０がシャーシ２０内に取り付けられる例において有利であると考えることができる。更に、そのような伸縮性のある脚部バンド部分３６によってもたらされる密着嵌合は、着用可能吸収性物品の閉じ込め能力を高める働きをすることができる。
【００４６】
腰部バンド部分３４、３５及び脚部バンド部分３６の１つ以上は、上記のやり方で、又はその他の手段により伸縮性を持たされてもよい。例えば、従来の布製下着及びブリーフの弾性腰部バンド及び脚部バンドを形成するために使用されるような伸縮性バンド／ストリップ材料は、独立して製造されて、シャーシ２０の製造中に、シャーシ２０を形成する材料に任意の好適な方法で添着されてもよい。
【００４７】
別の例では、腰部バンド部分３４、３５及び脚部バンド部分３６の１つ以上は、接着剤及び／又は圧縮結合を用いて、脚部開口部及び／又は腰部開口部の縁部の周囲に簡単に添着された弾性材料で形成されてもよい。別の例では、弾性ストリップ材料は、複数のピンと張られたエラストマーストランド又はストリップを、未延伸の不織布ウェブ材料又はフィルムの１つ以上のストリップに添着することにより形成されてもよい。得られた弾性ストリップ材料を弛緩させると、未延伸の材料は、ギャザーの付いた未延伸の材料を含む横皺を形成し、弾性ストリップ材料の伸縮に適合することになる。その周囲に弾性ストリップ材料を添着することにより、この弾性ストリップ材料を使用して、腰部バンド部分３４、３５及び／又は脚部バンド部分３６の１つ以上を形成することができる。
【００４８】
固定バンド
図２Ａ、図２Ｂに示されるように、シャーシ２０はまた、シャーシ後側領域２８上に又はシャーシ後側領域２８内に配置される固定バンド３８のような固定補助具を有してもよい。図２Ａ及び図２Ｂに示されるように、固定バンド３８は、層に沿って添着され、又は層の間に配置されて、シャーシ２０の内表面２５及び外表面２４を形成する。固定バンド３８は、シャーシ２０の後部角部に近い位置又は締結用耳部２９に近い位置に添着される、材料のエラストマーの又は伸縮性のあるストリップ又はバンドを有してもよい。したがって、固定バンド３８は、固定バンド３８の末端部のみによって、又は固定バンド３８の限定された数の選択された中間部横方向位置においてのみシャーシに取り付けられるので、固定バンド３８は、シャーシ２０の内表面及び外表面を形成する層から、その横方向長さに沿って部分的に又は実質的に力分離（force-decoupled）され得る。例えば、固定バンド３８は、固定バンド３８の末端部においてのみ、シャーシ２０に取り付けられてもよい。別の例では、固定バンド３８は、固定バンド３８の末端部においてのみ、又は固定バンド３８の横方向中心においてのみ、シャーシ２０に取り付けられてもよい。この実質的に力分離される構成により、固定バンド３８及びシャーシ２０の周囲部分が、実質的に互いに独立して伸張する及び動くことが可能になり、より良好な密着及び快適性が促進され得る。しかしながら、別の例では、固定バンド３８は、固定バンド３８の実質的に全長に沿って、シャーシの内表面及び外表面のいずれか又は両方を形成する伸縮性材料の層が積層された、ないしは別の方法でこの層に固定された、弾性バンド、ストリップ又はストラップであってもよい。
【００４９】
着用者に適用するために横方向に引っ張られると、固定バンド３８は、物品の横方向張力を着用者の腰部の周囲に提供する（又は補完する）ように機能して、腰部開口部をゆるやかに引く傾向があり、密着を強化し、かつ着用者の腰部の周囲への着用可能な吸収性物品の固定を強化することができる。固定バンドの弾性率は、包囲する、隣接する、又は同一の広がりを持つシャーシ材料の弾性率よりも大きい。
【００５０】
固定バンド、又は１つ以上の固定バンド部材のシステムは、例えば、次の文献に記載されている任意の追加特徴を有してもよい：同時係属の米国特許出願第１１／８１０，７４１号；同第１１／８１０，７０８号；同第１２／１０１，４７６号；同第１２／０２８，３１７号；同第１１／８１０，７４５号；同第１１／８１０，７４２号；同第１１／８１０，７３４号；同第１１／８１０，７７９号；同第１１／８１０，７１５号；同第１１／８１０，７３３号；同第１１／８１０，７３６号；同第１１／８１０，７７７号；及び同第１１／５９９，８６２号；同第１１／８１０，９０１号及び同第１１／５９９，８５１号；同第１１／８９９，８１２号；同第１２／２０４，８４４号；同第１２／２０４，８４９号；同第１２／２０４，８５４号；同第１２／２０４，８５８号；及び同第１２／２０４，８６４号；同第１１／８９９，８１０号；同第１１／８９９，６５６号；及び同第１１／８９９，８１１号；同第１１／８９９，８１２号；同第１２／２０４，８４４号；同第１２／２０４，８４９号；同第１２／２０４，８５４号；同第１２／２０４，８５８号；及び同第１２／２０４，８６４号。
【００５１】
別の例では、図２Ａ及び図２Ｂの固定バンド３８の図示された位置により示したように実質的に横方向に配向されるのではなく、又はこれに加えて、固定バンドを形成する１つ以上の部材は、長手方向と横方向との間に斜めに配向されてもよい。例えば、図２Ａに示されるように、一対の斜めの固定バンド３８ａは、シャーシの角部及び／又は締結用耳部２９に近接する位置エリアにおいて固定されるそれぞれの腰部末端部を有してもよく、図２Ａに示されるように、シャーシ２０の横方向及び長手方向両方の中心に向かってそれぞれ延びてもよい。バンド３８ａのそれぞれの中心末端部は、図２Ａに示されるように、シャーシ横方向中心近くの位置においてシャーシに添着されてもよく、バンド３８ａは、上述のように、バンド３８ａの長さに沿ってシャーシから力分離される又はシャーシに力結合（force-coupled）されてもよい。以下に更に記載されるように追加的な長手方向支持を目的としてインサートが固定バンドに接続される例では、斜めの固定バンド３８ａなどの斜めの固定バンドは、シャーシ２９に沿った追加の長手方向張力を提供して、その中に追加の長手方向支持を提供するように機能することができる。
【００５２】
可能な吸収性インサートの詳細の例
吸収性インサート５０の特徴の例が、図３、図４及び図５Ａ〜図５Ｆを参照して説明される。
【００５３】
上述のとおり、図３は、自立し、弛緩状態であり、シャーシから切り離されて示されている、本明細書に記載の着用可能吸収性物品の内部構成要素を形成することができる使い捨て吸収性インサート５０を斜視図で示している。図４は、身体に面する表面が見る人に面している、（図３に示されるのと同様の位置にもたらされる弾性に誘発される収縮に逆らって）延伸され平らにされて示されているインサート５０の例を図示している。図５Ａ〜図５Ｆは、図４で示されたインサート５０の断面を様々な可能な例で示している。
【００５４】
インサート５０は、以下に更に説明されるもののような吸収性コア材料のための外被様エンクロージャを形成するトップシート５１と、バックシート５２と、を備えてもよい。トップシート５１及びバックシート５２は、長手方向シーム６４に沿って、及び横方向シーム６９に沿って互いに添着されてもよい。インサート５０はまた、これに沿って添着される長手方向起立カフ５３を備えてもよい。
【００５５】
トップシート
トップシート５１は、液体透過性不織布ウェブ材料で形成されてもよい。トップシート５１を形成する材料は、着用者の皮膚に順応し、ソフトな触感で、刺激がないのが望ましくあり得る。トップシート５１の少なくとも一部分は液体透過性であり、液体がその厚さを簡単に貫通することができるのが望ましくあり得る。適切なトップシートは、例えば、多孔質発泡体、網状発泡体、孔あきプラスチックフィルム、又は天然繊維（例えば、木材繊維又は綿繊維）、合成繊維（例えば、ポリエステル繊維又はポリプロピレン繊維）、若しくは天然繊維と合成繊維との組み合わせの織布若しくは不織布材料などの、広範囲の材料から製造されてもよい。トップシート５１が繊維を含む場合、繊維は、スパンボンド、カード、湿式堆積、メルトブロー、水流交絡、ないしは当該技術分野において既知の別の方法で加工されてよい。
【００５６】
ステープル長さのポリプロピレン繊維の不織布ウェブを含む１つの好適な材料は、商標名Ｐ−８でＶｅｒａｔｅｃ，Ｉｎｃ．のＤｉｖｉｓｉｏｎ  ｏｆ  Ｉｎｔｅｒｎａｔｉｏｎａｌ  Ｐａｐｅｒ  Ｃｏｍｐａｎｙ（Ｗａｌｐｏｌｅ，ＭＡ）により製造されている。成形フィルムを含む更なる好適な材料は、米国特許第３，９２９，１３５号、同第４，３２４，２４６号、同第４，３４２，３１４号、同第４，４６３，０４５号、及び同第５，００６，３９４号に記載されている。米国特許第４，６０９，５１８号及び同第４，６２９，６４３号に従って他の好適なトップシート３０を作製してもよい。成形及び／又は有孔フィルムの好適な例には、Ｐｒｏｃｔｅｒ  ＆  Ｇａｍｂｌｅ  Ｃｏｍｐａｎｙ（Ｃｉｎｃｉｎｎａｔｉ，Ｏｈｉｏ）によってＤＲＩ−ＷＥＡＶＥとして、及びＲｉｃｈｍｏｎｄ，ＶＡに拠点を置くＴｒｅｄｅｇａｒ  ＣｏｒｐｏｒａｔｉｏｎによってＦＲＥＳＨＦＥＥＬとして製造される製品が挙げられる。好適なトップシートの材料には、ＴｒｅｄｅｇａｒによりＣＯＭＦＯＲＴＦＥＥＬ、ＣＯＭＦＯＲＴＱＵＩＬＴ、ＳＯＦＴＱＵＩＬＴ、及びＣＯＭＦＯＲＴＡＩＲＥとして製造される、フィルムと不織布ウェブとの積層体を挙げることができる。
【００５７】
いくつかの状況では、着用者の皮膚を吸収性コア７１に含まれる液体から離すようにするために、トップシート５１の少なくとも一部分を疎水性材料で作製し、疎水性になるように処理するのが好ましい。トップシート５１を主に疎水性材料で作製する場合、トップシート５１の上面の少なくとも一部分を親水性になるように処理して、液体がトップシートを通ってより迅速に移動するようにすることが望ましくあり得る。トップシート５１は、界面活性剤で処理することにより、又は界面活性剤をトップシート中に組み込むことにより、親水性にすることができる。トップシート５１を界面活性剤で処理するのに好適な方法として、トップシート材料に界面活性剤を噴霧すること、及び／又は材料を界面活性剤中に浸漬することが挙げられる。そのような処理及び親水性のより詳細な説明が、米国特許第４，９８８，３４４号及び同第４，９８８，３４５号に含まれている。トップシートに界面活性剤を組み込む特定の好適な方法について、米国法定発明登録第Ｈ１６７０号により詳細に議論がなされている。しかしながら、別の例では、トップシート５１は、疎水性である有孔ウェブ又はフィルムを含んでもよい。これは、以下に記述されるように、生産プロセスから親水性化処理工程を省くことにより、及び／又はＳＣＯＴＣＨＧＵＡＲＤのようなポリテトラフルオロエチレン化合物又は疎水性ローション組成物などでトップシート材料に疎水処理を施すことにより達成されてもよい。そのような例では、開口は、普通であれば疎水性に起因する著しい抵抗がなく尿のような水性流体が貫通できるほど十分に大きいのが望ましくあり得る。
【００５８】
トップシート５１のいずれかの部分を、当該技術分野で既知のローションでコーティングしてもよい。好適なローションの例には、米国特許第５，６０７，７６０号、同第５，６０９，５８７号、同第５，６３５，１９１号、同第５，６４３，５８８号、同第５，９６８，０２５号、及び同第６，７１６，４４１号に記載されているものが挙げられる。ローションは、単独で又は他の剤と組み合わされて、上述の疎水化処理として機能することができる。
【００５９】
トップシート５１はまた、抗菌剤を含むかこれにより処理されてもよく、そのいくつかの例は、米国特許出願番号第０８／２１２，４４１号（法定特許登録Ｈ１７３２として公開）に開示される。
【００６０】
更に、トップシート５１、バックシート５２、又はトップシート若しくはバックシートの任意の部分は、より布様の外観をもたらすために、エンボス加工及び／又はつや消し仕上げされてもよい。
【００６１】
トップシート５１は、全体的に又は部分的に伸縮されてもよく、あるいは収縮させてトップシート５１とコア７１との間に空隙を形成してもよい。伸縮性を与えられた又は収縮されたトップシートを備える代表的な構造体は、米国特許第４，８９２，５３６号、同第４，９９０，１４７号、同第５，０３７，４１６号、及び同第５，２６９，７７５号に更に詳細に記載されている。
【００６２】
バックシート
バックシート５２は、一般に、衣類に面する表面を形成するインサート５０の外側ライナー部分であり、インサート５０内に吸収かつ収容された排出物が、シャーシを通って吸い上げられて、シャーシを汚すのを防止する。ある状況では、バックシート５２は、実質的に液体に対して不透過性であるのが望ましくあり得る。
【００６３】
バックシート５２は、実質的に液体不透過性の積層体又はフィルムと不織布ウェブとの複合体で形成されてもよい。バックシート５２は、実質的に液体不透過性の積層体又はフィルムと不織布ウェブとの複合体で形成されてもよい。バックシート５２は、液体排出物を収容し、かつシャーシ、外側衣類及び／又は着用者の環境からこれを隔離するように、実質的に液体不透過性の不織布ウェブ、又は不織布ウェブと実質的に液体不透過性のフィルムとの積層体で形成されてもよい。同時に、インサート及び着用可能な吸収性物品の通気性を提供して、インサートと着用者の身体との間の領域の湿度を低減し、皮膚の水分過剰が原因で生じる場合がある皮膚のかぶれ及び／又は発疹の可能性を低減するのを助けるために、バックシート５２は蒸気透過性であってもよい。
【００６４】
バックシート５２を形成する材料は、約０．０１２ｍｍ（０．５ｍｉｌ）〜約０．０５１ｍｍ（２．０ｍｉｌ）の厚さを有する、熱可塑性フィルムなどの薄いプラスチックフィルムを含むことができる。好適なバックシート材料にはまた、蒸気を逃がしながら、液体をその内部を通ることを妨げる通気性材料であり得る。好適な例には、Ｒｉｃｈｍｏｎｄ，ＶＡに拠点を置くＴｒｅｄｅｇａｒ  Ｃｏｒｐｏｒａｔｉｏｎにより製造され、商品名ＣＰＣ２、Ｘ１５３０６、Ｘ１０９６２、及びＸ１０９６４フィルムで販売されているものを挙げることができる。他の例には、Ｍｉｔｓｕｉ  Ｔｏａｔｓｕ  Ｃｏ．（Ｊａｐａｎ）により商品名ＥＳＰＯＩＲ  ＮＯで製造されているような、及びＥｘｘｏｎ  Ｃｈｅｍｉｃａｌ  Ｃｏ．（Ｂａｙ  Ｃｉｔｙ，ＴＸ）により商品名ＥＸＸＡＩＲＥで製造されているようなミクロ孔質フィルム、並びにＣｌｏｐａｙ  Ｃｏｒｐｏｒａｔｉｏｎ（Ｃｉｎｃｉｎｎａｔｉ，ＯＨ）により商品名ＨＹＴＲＥＬブレンドＰ１８−３０９７で製造されているようなモノリシックフィルムを挙げることができる。いくつかの追加の例には、ＰＣＴ国際公開特許ＷＯ  ９５／１６７４６号、並びに米国特許第５，９３８，６４８号、同第５，８６５，８２３号、及び同第５，５７１，０９６号に記載されているような、通気性の良い複合材料を挙げることができる。他の例では、バックシート５２は、エラストマーフィルム、発泡体、ストランド、又はこれら他の好適な材料と不織布若しくは合成フィルムとの組み合わせを含んでもよい。
【００６５】
バックシート５２は、当該技術分野において既知の任意の好適な取り付け手段によって、インサート５０のトップシート５１、吸収性コア７１又は任意のその他の要素に結合され得る。例えば、取り付け手段としては、接着剤の連続線若しくは連続層、接着剤の模様付き層、又は接着剤の分離した線、らせん、若しくは点の配列を挙げることが可能である。取り付け手段の一例は、米国特許第４，５７３，９８６号に開示されているような、接着剤フィラメントのオープンパターンネットワークを含む。他の好適な取付け手段として、米国特許第３，９１１，１７３号、同第４，７８５，９９６号、及び同第４，８４２，６６６号に示される装置及び方法により例示されるような、らせん模様に渦を巻く接着剤フィラメントのいくつかの線が挙げられる。要件を満たすことがわかっている接着剤は、Ｂ．Ｆｕｌｌｅｒ  Ｃｏｍｐａｎｙによって製造され、ＨＬ−１６２０及びＨＬ−１３５８−ＸＺＰとして市販されている。あるいは、取り付け手段は、熱接着、圧力接着、超音波接着、動的機械的接着、若しくは他の任意の好適な取り付け手段、又は当該技術分野で既知であるこれらの取り付け手段の組み合せを含むことができる。
【００６６】
上記のシャーシは、伸縮して着用者の解剖学的特徴及び体の動きに適合することによって、着用者の排泄物の排出に起因する吸収、膨張、及び付加重量により一般に使い捨ておむつに与えられる構造負荷の大部分に耐えかつこれを支持するような材料及び構成体で構成され得ることは理解されるであろう。そのため、そのようなシャーシを使用することにより、使い捨ておむつの内部構成要素に要求される強度と比べて、インサートの構造強度に対する要件が少なくなる可能性がある。したがって、本明細書に記載のような物品は、石油系の材料（例えば、ポリエチレン及びポリプロピレン）のような使い捨ておむつの製造で通常使用されるものとは異なる材料から製造される使い捨て吸収性インサートを包含することができる。例えば、上で特定された材料に加えて、木材及び／又は他のセルロース繊維系の製品（例えば、紙）で形成されたトップシート、バックシート、起立カフ及び／又は他の構成要素の１つ以上を有する使い捨て吸収性インサートが考えられる。例えば、バックシート及び／又は起立カフにとって水性液体浸透性に対する耐性又は実質的な液体不透過性が望ましい場合、紙などの通常の親水性繊維で形成された材料に、皮膚適合性の油又はワックスなどの疎水性材料をコーティングする又は浸透させて、水性液体浸透性に対する所望の耐性を付与することができる。
【００６７】
吸収性コア
図５Ａ〜図５Ｆを参照すると、インサート５０は、トップシート５１及びバックシート５２で形成される外被様構造体内に吸収性コア７１を有してもよい。吸収性コア７１は、一般に圧縮性であり、柔軟性があり、着用者の皮膚に対して刺激がなく、並びに尿及び他のある種の身体排出物などの液体を吸収して保持できる、任意の吸収性材料を含んでもよい。吸収性コア７１は、一般にエアフェルトと呼ばれている粉砕木材パルプ等といった、使い捨ておむつ及び他の吸収性物品に通常使用される多種多様な液体吸収性材料を含んでもよい。その他の好適な吸収性材料の例には、捲縮セルロース塊、コフォームを包含しているメルトブローンポリマー、化学的に剛化、変性、若しくは架橋されたセルロース繊維、ティッシュラップ及びティッシュ積層体が含まれるティッシュ、吸収性発泡体、吸収性スポンジ、超吸収性ポリマー、吸収性ゲル材料、又は他のいずれか既知の吸収性材料、又は材料の組み合わせが挙げられる。
【００６８】
吸収性コア７１は、液体獲得／分配材料６５、及び貯蔵材料６６を含んでもよい。一般に、獲得／分配材料６５は、比較的迅速な吸収特性及び吸上特性を有し得るが、限定された吸収能力を有してもよい。反対に、一般に、貯蔵材料６６は、比較的遅い吸収特性及び吸上特性を有し得るが、より大きな吸収能力を有してもよい。つまり、獲得／分配材料６５は、尿などの液体の流出を迅速に吸収及び分配する役割を果たし得る一方で、より大きな吸収能力を有する貯蔵材料６６は、獲得／分配材料からかかる液体を吸収して、それをインサートが交換され得るまでの必要な時間貯蔵する役割を果たし得る。
【００６９】
吸収性コア７１は、多種多様な寸法及び形状（例えば、矩形、砂時計形、「Ｔ」字形など）に製造されてもよい。吸収性コア７１の形状及び構成は様々であり得る（例えば、吸収性コア又は他の吸収性構造体は、様々なキャリパーゾーン、親水性勾配、超吸収性勾配、又はより低い平均密度及びより低い平均坪量の獲得ゾーンを有してもよく、あるいは１つ以上の層又は構造体を含んでもよい）。吸収性コア７１として使用される吸収性構造体の例には、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、及び同第５，６２５，２２２号に記載されているものを挙げることができる。
【００７０】
吸収性コアの全体的な寸法及び／又は厚さを低減し、それにより着用者の快適性を改善し、かつ汚れたインサートによって生じる処理可能な廃棄物の量を低減するために、性能制約内で可能な最小量のコア材料を使用して吸収性コアを作製するのが望ましくあり得る。このような目的で、好適な吸収性コアの好適な材料及び構成の例が、同時係属の米国特許出願第１２／１４１，１２２号に記載されているが、これに限定されない。
【００７１】
副層
インサート５０はまた、トップシート５１とバックシート５２との間に配置される副層を含んでもよい。副層は、身体排出物を受容、貯蔵又は不動化することのできる任意の材料又は構造体であってもよい。したがって、副層は、単一の材料又は互いに動作可能に関連した複数の材料を含んでもよい。更に、副層は、インサート５０の別の要素と一体であってもよく、又はインサート５０の１つ以上の要素と直接的に又は間接的に結合した１つ以上の別個の要素であってもよい。更に、副層は、コア７１から分離した構造体を含んでよく、コア７１の少なくとも一部分を含むか又はその一部であってよい。
【００７２】
副層として使用するのに好適な材料としては、大型連続気泡発泡体、マクロ孔質耐圧縮不織布嵩高品、連続気泡発泡体及び独立気泡発泡体の大型寸法粒子状成形物（マクロ及び／又はミクロ孔質）、嵩高不織布、ポリオレフィン、ポリスチレン、ポリウレタン発泡体又は粒子、多数の垂直配向のループ状繊維ストランドを含む構造体、打ち抜き穴又は窪みを有する上述の吸収性コア構造体、などを挙げてもよい。副層の一例は、３Ｍ  Ｃｏｒｐｏｒａｔｉｏｎ（Ｍｉｎｎｅａｐｏｌｉｓ，Ｍｉｎｎｅｓｏｔａ）からＸＰＬ−７１２４として入手可能な、約１．５ｍｍの非圧縮厚さを有する機械的締着ループランディング要素を有している。別の例は、１平方メートル当たり１１０グラムの坪量と７．９ｍｍの非圧縮厚さを有する、捲縮され樹脂結合された６デニールの不織布嵩高体を含み、この不織布嵩高体は、Ｇｌｉｔ  Ｃｏｍｐａｎｙ（Ｗｒｅｎｓ，Ｇｅｏｒｇｉａ）から入手可能である。他の好適な吸収性及び非吸収性の副層は、米国特許第６，６８０，４２２号及び同第５，９４１，８６４号に記載されている。更に、副層若しくはそのいずれかの部分は、その要素の性能若しくは他の特性を付加し、強化し、又は変化させる、ローション若しくは他の既知の物質を包含するか、又はそれらでコーティングされてよい。
【００７３】
起立カフ
インサート５０はまた、その長さに沿って部分的に又は全体的に取り付けられる一対の長手方向起立カフ５３を備えてもよい。好適な長手方向起立カフ（種々の公開された例では「レッグカフ」、「バリアカフ」、「ガスケッティングカフ」等と定義されている）は、次の文献に記載されているがこれらに限定されないもののような材料及び構成体で形成され得る：
米国特許第５，７６９，８３８号及び同第４，５９７，７６０号、並びに同時係属の米国特許出願公開第２００７／０２３９１３０号。図３に示されるように、起立カフ５３は、それに沿って長手方向に配置されるカフ弾性体５８ａ、５８ｂの１つ以上のストランド又はストリップを有してもよい。そのようなカフ弾性体５８ａ、５８ｂが、起立カフ５３を形成するウェブ材料に固定される前に予めピンと張られると、得られるこれに沿った長手方向張力は、起立カフ５３を形成するウェブ材料に図示のようなギャザーを寄せ、かつカフをインサートの本体から（図３に関しては上方に）延出させる、つまりカフを「起立」させる。この特徴により、起立カフ５３は、インサート５０を包含する物品が着用されると、排泄物が排出される解剖学的特徴の両側に長手方向に、着用者の身体に沿ってガスケット構造を形成する。こうして、起立カフ５３は、インサート５０の、そして結果として着用可能な吸収性物品の排出物閉じ込め能力を強化するように機能し得る。バックシート５２と同様に、起立カフ５３は実質的に液体不透過性ウェブで形成されて、液体排出物を収容し、かつシャーシ、外側衣類及び着用者の環境から液体排出物を隔離することができる。同時に、インサート及び着用可能な吸収性物品の通気性をもたらして、インサートと着用者の身体との間の領域の湿度を低減し、皮膚の水分過剰が原因で生じる場合がある皮膚のかぶれ及び／又は発疹の可能性を低減するのを助けるために、起立カフ５３は蒸気透過性であってもよい。
【００７４】
他の例では、起立カフ５３を形成する材料は、例えば、非限定的例として、同時係属米国特許出願公開第２００７／０２３９１３０号に記載のバックシート５２を形成する材料一体化であり得る。この特定の例では、図３を参照すると及びこれと関連して、連続した１枚の材料は、一方の起立カフ５３を形成し、インサートの下を包み込んでバックシート５２を形成し、反対側を上方に包み込んでもう一方の起立カフ５３を形成することができる。このラップアラウンド構造の例は、起立カフ５３と、バックシート５２と、を含む外側の液体を収容する面に沿ったシームを排除することにより、インサート５０に改善された液体閉じ込め能力を提供することができる。しかしながら、ある状況では、製造上の制約及び／又は経済的制約がこのような構造を阻む場合がある、あるいは、起立カフ５３及びバックシート５２を形成する材料は異なる特性を有するのが望ましい場合がある。例えば、用途によっては、起立カフ５３が、依然として流体をはじき、かつ収容する傾向があり得るが、一般に、フィルムなどの実質的に液体不透過性の積層体よりも通気性の良い、近接して位置する疎水性繊維を含む不織布ウェブ材料で別の方法により形成される場合、起立カフ５３が実質的に液体不透過性であることが必要であると考えられない可能性がある。この場合、図３に示したように、起立カフ５３を形成する材料でインサートの下側にある長手方向角部の下を部分的にのみ包み込み、この材料を、最も外側の下側角部ではなく、インサートの下のシームで固定することにより、改善された強度及び液体閉じ込め特性を依然として付与することができる。
【００７５】
把持構造体
図３及び図４を参照すると、インサート５０はまた、個別の前部及び後部ユーザ把持構造体５９、６１を有してもよい。ユーザ把持構造体５９、６１は、ユーザがインサート５０をその各端部で迅速かつ容易に把持できるようにするために提供され得る。
【００７６】
図示され及び／又は提案される把持構造体は、ユーザがインサート５０をより迅速に把持し、かつ図３に示されるのと同様の収縮位置から、図４に示されるのと同様の伸展位置まで伸張できるようにすることができ、これは、インサート５０をシャーシの中に設置するために望ましくあり得る。図示のように、ユーザ把持構造体５９、６１がインサート５０の各端部に近接して中心合わせされると、これは、以下により詳細に記載される各中心合わせされたファスナー構成要素対を同じ場所に配置するための視覚的補助をユーザに提供することもできる。
【００７７】
更に、ユーザ把持構造体５９、６１は、ユーザがインサート５０をそれぞれの端部で迅速かつ容易に把持できるようにするのに役立つ可能性があり、このそれぞれの端部は、着用者の身体の排出点からの距離により、インサート５０の交換が必要又は望ましくなったときに汚れにくい。したがって、ユーザは、汚れたインサート５０をシャーシ２０から取り外すときに、着用者の排出物がユーザの手と接触するのをうまく回避することができる。
【００７８】
ユーザ把持構造体５９、６１は、図３及び図４に示されるようなタブ様拡張部分を有してもよく、インサート５０がシャーシ２０内に設置されるときに自由端はシャーシ２０に取り付けられず、容易に把持可能である。ユーザ把持構造体は様々な形状を有することも可能である。非限定的な例として、ユーザ把持構造体は、インサート５０の末端部から延びるループ様拡張部分（図示せず）、インサート５０の末端部近くを貫通する指穴（図示せず）、及びインサート５０をその末端部に近接する位置で把持及び引っ張りやすくするその他の構造体、の形状をとることができる。
【００７９】
インサート／シャーシ締結要素、向きの印、他の考えられる特徴
図２Ｂ、図３及び図４に戻って参照すると、先述の通り、シャーシ２０は、その上に配置された前側及び／又は後側インサート締結要素３３、３２などの１つ以上のインサート締結要素を有してもよい。インサート５０は、インサート上に配置された前方及び／又は後方ファスナー構成要素５６、５７を有してもよい。インサート５０上の各前側及び／又は後側締結要素５６、５７は、シャーシ２０上に配置された対応の前側及び／又は後側インサート締結要素３３、３２との締結を可能にするように協働するよう選択及び／又は適合され得る。
【００８０】
締結位置のタイプ、位置、及び位置決め
１つの例において、インサート５０の各前側及び後側締結要素５６、５７と、シャーシ２０上の対応の前側及び後側インサート締結要素３３、３２との締結を可能にするために、対応の締結対５６、３３及び５７、３２は協働締結要素を有することができる。好適な面ファスナー式締結システムの例は、Ｖｅｌｃｒｏ  Ｉｎｄｕｓｔｒｉｅｓ  Ｂ．Ｖ．の製品であるＶＥＬＣＲＯシステムであり、このシステムの構成要素は、Ｖｅｌｃｒｏ  ＵＳＡ，Ｉｎｃ．（Ｍａｎｃｈｅｓｔｅｒ，Ｎｅｗ  Ｈａｍｐｓｈｉｒｅ）から入手可能である。フックアンドループ締結システムは特定の利点を提供する。各ファスナー式要素はシート状又はストリップ状で供給されるので、この要素を適切な形状のパッチに切断することができ、このパッチを、接着剤結合、機械的結合、超音波接合、縫合、縫製、縁かがり、縁取り等の様々な手段で布基材に添着することができる。対応の面ファスナー式パッチをファスナー構成要素として使用する場合、締結は、ファスナー構成要素を対面接触させて置き、ゆるい圧力を加えるだけで達成されるので、比較的容易な締結、ユーザにとっての容易さ及び便宜（例えば、ボタンとボタン穴といったファスナー構成要素と比較して）は、もたらされるいくつかの利点のうちの１つである。
【００８１】
一部のタイプのフック構成要素は、ある状況では、意図される対応するループ要素以外の様々な材料に望ましくなく引っかかる又はからみつく傾向があり得るが、現在入手可能であるほとんどのタイプのループ要素は、この傾向を有さない。したがって、ある状況では、ループ要素のパッチがインサート締結要素３３、３２の一方又は両方を形成し、フック要素のパッチが締結要素５６、５７の一方又は両方を形成するのが望ましくあり得る。この構成は、引っかからないインサート締結要素をシャーシ上に定置する。これは、シャーシ２０が再利用可能となるように設計されている場合などある状況において望ましくあり得、シャーシ２０上の要素がシャーシ２０の他の部分に、又は、シャーシ２０と一緒に保管又は洗濯される衣類物品などの他の物品に、望ましくなく引っかかる可能性を低減する。
【００８２】
しかしながら、締結対５６、３３及び５７、３２は、面ファスナー式締結システムの対応の要素を必ずしも有する必要はなく、２つの要素からなる締結システムの対応の要素を必ずしも有する必要はない。むしろ、締結システムは、１つの締結要素しか必要としなくてもよく、又は他のタイプの締結要素を使用してもよい。使用するファスナー構成要素は、インサート又はその一部分と係合する、これを固定する、及び別の方法で保持するように適合されてもよい。シャーシ２０上の締結要素には、接着剤のパッチ；比較的高い摩擦係数の領域を有する構造体；ポケット；フラップ；ストラップ；あるいはその他の捕捉、保持及び／又は固定表面、デバイス、又は構造体を挙げることができる。したがって、１つの例において、シャーシ２０の内側は、シャーシ２０の内表面２５の上に又はこれに沿って、例えば、前側領域２７内に位置決めされるポケット構造体を有してもよい。このようなポケット構造体は、（立位姿勢の着用者に対して、及び図２Ｂに対して）下方及び上方を向く開口部を有してもよい。このポケット構造体は、例えば、インサート５０の前方領域５４の前縁部及びその一部分を受容、嵌合及び捕捉するように構成されてもよい。このような締結要素は、シャーシ２０の前側領域及びインサート５０の前方領域に配置された他の締結要素の代わりに、又はこれらに加えて設けられてもよい。このような構造体及び適切に適合されたインサートを使用してインサートを設置するために、ユーザは、インサート５０の前縁部をポケット構造体に挿入し、次に、任意のその他の設けられた後側締結要素によって、インサート５０の後方部分をシャーシ２０の後側領域内に締結することができる。
【００８３】
また、締結対５６、３３及び５７、３２のそれぞれの要素を含むあらゆる形態の締結要素が、インサート５０又はシャーシ２０のいずれかの上に配置されてもよい。例えば、フックパッチがインサート５０又はシャーシ２０のどちらかの上に配置され、協働するループパッチがインサート５０又はシャーシ２０のもう一方の上に配置されてもよい。
【００８４】
シャーシ２０上の要素３２などのインサート締結要素を、固定バンド３８、又は斜めの固定バンド３８ａに取り付ける又は接続してもよい。これは、上で引用した特許出願の１つ以上の固定バンドの説明において記載されているように、利点の１つとして、吸収又は収容された排出物の重量によって生じる構造負荷の分布をもたらすことができる。
【００８５】
締結位置は、例えば、インサート５０の４つの角部のそれぞれと、これらに対応するシャーシ２０上の位置に、並びに、適切に選択されかつ配置された締結要素によって作り出されるインサート５０及びシャーシ２０に沿った他の位置にも、複合的に配置されてもよい。
【００８６】
しかしながら、別の例では、締結要素対５６、３３及び５７、３２といった締結システムは、図示のように、前方／前側及び／又は後方／後部末端部／領域のそれぞれあるいはいずれかの近くに、単一化され（singularized）かつ局所化された締結位置を形成してもよい。図２Ｂ及び図３に示されるように、インサート及びシャーシ上で実質的に横方向に中心合わせされた、２つの対応の単一化され局所化された締結位置のみを有することで、ユーザがインサート５０をシャーシ２０の同じ場所に配置及び締結しなければならない位置が２つだけになることにより、設置の簡単さ及び容易さといった利点がユーザにもたらされる。
【００８７】
更に、図に示されるように、インサート５０の１つ又は２つの末端部のみの近くに、単一の局所化された締結位置を有することで、インサート５０の部分的に力分離される取り付けがシャーシ２０内にもたらされる。この力分離される構成により、締結要素３３、３２を包囲するシャーシ２０の一部分、例えば腰部バンド部分３４、３５、並びに前側領域２７及び後側領域２８は、インサート５０及びその一部分の構造とは実質的に独立しかつこれに妨げられずに、横方向に伸張及び収縮することができる。これにより、シャーシ２０の横方向の収縮によってインサート５０の末端部が横方向に塊化しないようにすることができ、及び／又は、反対に、それらの間の更なる力結合構成の結果として、インサート５０の構造がシャーシ２０が横方向に伸縮又は収縮するのを制限しないようにすることができる。このような横方向の塊化又は制限は、さもなければ通常、例えば、所与の長手方向位置に近接してインサート５０の幅にわたって１つを超える締結位置を用いて、又はインサート５０の幅の大部分に沿った横方向に非局在化／拡張された連続的な締結位置を用いて、インサート５０の幅の大部分をシャーシ２０に力結合するやり方で、シャーシ２０内にインサート５０を締結するのに付随して起こり得る。したがって、力分離は、着用されている間の密着、外観及び着用者の快適性の促進、並びに意図されるインサートの形状及び性能の改善された維持能力を提供することができる。
【００８８】
したがって、１つの例において、図４を参照すると、インサート５０に取り付けられた締結要素５６を形成するフック要素のパッチは、図示のように、インサート上で実質的に横方向に中心合わせされていてもよく、インサート５０の横方向幅Ｗｉの約５０％以下で延びるインサート５０に沿って取り付けられる幅Ｗｆを、前方領域５４に有してもよい。これにより、インサート５０がシャーシ２０の中に設置されたときに、例えば、前方領域５４におけるインサート５０の幅の約５０％以下が、フック要素のパッチの作用によってシャーシに力結合されることになり、それに応じて、該幅の約５０％（すなわち、幅Ｗｆに沿ってインサートに取り付けられない又は力結合されない幅Ｗｉの部分）は、シャーシ２０から力分離されることになる。ある状況では、シャーシから力分離されるインサート５０の前方領域５４及び／又は後方領域５５の横方向幅のこの部分は、約５０％をも超えるのが望ましくあり得る。このように、例えば、連続的に取り付けられるフックのパッチを含む締結要素５６又は５７の幅Ｗｆは、締結要素が位置付けられる領域におけるインサートの横方向幅Ｗｉの約４０％以下、約３０％以下、又は更には約２０％以下であるのが望ましくあり得る。別の例では、インサート５０の前側領域５４及び／又は後側領域５５における横方向幅の少なくとも約５０％がシャーシから力分離されるのがある状況では望ましくあり得る。ある状況では、シャーシの中に設置されるときに、任意の長手方向位置におけるインサートの横方向幅の約５０％超、約６０％超、約７０％超、又は更には約８０％超が、シャーシから力分離されるのが望ましくあり得る。
【００８９】
このように単一化されかつ比較的横方向に局所化された締結位置を提供して、インサート５０の横方向幅にわたって限られた力結合を提供する他の締結要素が可能である。
【００９０】
インサートの横方向補強材
図３を参照すると、及び上述されたカフ弾性体５８ａ、５８ｂを備える起立カフ５３の説明から、予め延伸されたカフ弾性体５８ａ、５８ｂによって長手方向張力が付与されると、起立カフ５３は、インサート５０の各外側の角部を互いに向けて長手方向に引っ張る傾向があり得ることが理解される。この引っ張りに抵抗する構成が存在しない場合、インサート５０の外側角部は座屈及び塊化する可能性があり、起立カフ５３は、つぶれるないしは別の方法で弛んで、着用者の身体に対するガスケット構造としての効果が弱くなる可能性がある。１つの例において、抵抗構造を提供する１つの方法は、インサート５０の角部の締結位置又は角部まで延びる締結位置、及びシャーシ２０の内表面２５に沿った対応の位置に配置されるインサート−シャーシ締結システムを含む（either include）ことである。しかしながら、ある状況では、これは、費用及び／又は複雑性の理由から望ましくない場合がある。また、上記のようにインサート５０の各末端部に近接して単一化／局所化された締結位置を１つだけ有することによる利点を犠牲にする場合がある。
【００９１】
上述のように、単一化されかつ比較的局所化された締結位置を、インサート５０の一方又は両方の末端部に１つだけ設けて、図に示されるように横方向に中心合わせされた位置内にあるように寸法設定及び位置決めする場合、かかる末端部の一方又は両方に近接して横方向補強要素を有するのが望ましくあり得る。図３及び図４を参照すると、横方向補強材６０及び６２を含んでもよい。このような横方向補強材は、ユーザがインサートとシャーシとを係合するのを援助し、シャーシの下に着用されている間、インサート５０がその意図される形状及び配置を維持するのを助けるように機能し得る。
【００９２】
横方向補強材６０、６２は、図に示されるように、インサート５０の末端部に近接してインサート５０内に固定される又は組み込まれることができる。使用中にインサート５０が最適な形状を維持する傾向を増加させるのに加えて、このような横方向補強材は、インサート５０がシャーシに設置される前に、インサート５０の各末端部が開いて平坦なままでいる傾向を高めることができる。インサート５０の末端部は、設置前にユーザが保管及び／又は運搬する間、普通は折り重ねられる又は束ねられる可能性があるので、横方向補強材は、インサート５０をシャーシ内に設置するためのユーザの操作をそれほど必要としない形状／配置をインサート５０の末端部が維持又は追求することによって、ユーザの便宜を向上させることができる。
【００９３】
図４を参照すると、１つ以上の横方向補強材６０、６２は、任意の平らなシート状若しくはカード状の材料、又は任意の平らな補強組立体で形成されてもよい。１つの例において、横方向補強材は、インサートの一部分（例えば末端部分）を折り重ねて、材料の折り畳まれた層を含む補強領域を作り出すことによって形成されてもよい。別の例では、横方向補強材６０、６２は、インサート５０の末端部の上に、液状接着剤若しくは半流動体接着剤又はその他の材料の横方向のバンド又はストリップを堆積することによって形成されてもよく、この堆積物は剛化状態に硬化又は冷却されて、適用される基材に追加剛性を付与する。別の例では、横方向補強材は、厚紙又は同様の材料で形成されてもよい。好適な補強材材料の１つの例は、シート状で供給される厚さ０．０７９ｃｍ（０．０３１インチ）のＶＯＬＡＲＡ発泡体（Ｓｅｋｉｓｕｉ  Ｖｏｌｔｅｋ，ＬＬＣ，Ｌａｗｒｅｎｃｅ，ＭＡの製品）である。補強材は、補強されるインサート５０の一部分で積層されてもよく、補強されるインサート５０の一部分に接着剤を介して適用されてもよく、又は任意のその他の好適な方法によって適用、添着、又は含まれてもよい。
【００９４】
平面図（例えば図４）を基準にしてそのような補強材に隣接するインサートの一部分と比較して、横方向補強材は、横方向補強材が位置付けられるインサート５０の領域の平面及び／又は横方向剛性を増加させることができる。インサートの隣接する補強されていない部分の剛性と比べた補強部分（すなわち、横方向補強材を含む部分）の剛比の指標として、同時係属の米国公報出願第２００７／０１４２７９８号に記載の座屈力試験方法にしたがって、各部分の座屈力を測定して比較してもよい。インサートの横方向補強材を有する部分の座屈力の、隣接部分の座屈力に対する比は、少なくとも約２．０であり得るが、ある状況では、この比が少なくとも約２．５、又は更には４．０、又は更には１０．０以上であるのが望ましくあり得る。１つ以上の横方向補強材６０、６２を含むインサート５０の一部分は、起立カフ５３の張力に効果的に耐え、インサート５０の使用中に起立カフ５３をガスケット形状に実質的に維持し、かつインサート５０の角部を横方向に拡張された位置に実質的に維持して、角部の座屈又は塊化を防止するのに十分なほど硬いのが望ましくあり得る。望ましい剛性の量は、追加の横方向補強材のない状態のインサート材料の固有剛性、及び物品が着用されたときの起立カフの張力の量及び／又は範囲といった種々の要因によって決まり得る。同時に、着用者の快適性及び安全性の目的上、１つ以上の横方向補強材６０、６２を含むインサートの一部分は、着用者の体の動きと共に楽に屈曲する、及びなんらかの打撲傷又は刺通損傷の危険が存在する前につぶれるのに十分なほど柔軟であるのが望ましくあり得る。補強部分はまた事実上弾性であるのが望ましくあり得、補強部分は、屈曲された、折り畳まれた、又はねじられた後に実質的に平坦な形状に戻る傾向がある。
【００９５】
横方向補強材６０、６２は、インサート５０の末端部の一方若しくは両方に隣接して又は近くに位置付けられてもよく、その幅のかなりの部分に沿ってインサートを補強するために、その横方向中心から横方向に延在してもよい。１つ以上の横方向補強材は、インサートの横方向幅の約５０％〜約１００％の幅を有してもよく、又は、インサートを形成する他の材料の長手方向縁部を超えて延在してもよい。横方向補強材は任意の長手方向寸法を有することができるが、ある状況では、インサートの長さの２５％未満の長手方向寸法が、着用者の快適性をより良好に保証することができ、したがって望ましくあり得る。一部の例では、横方向補強材の長手方向寸法は、約５ｍｍ〜約５０ｍｍの範囲であってもよい。補強材はまた、インサートを形成する他の材料の横方向縁部を超えて長手方向に延在してもよい。インサートの一方又は両方の末端部は横方向補強材を有してもよい。インサートが２つ以上の横方向補強材を含む例では、各横方向補強材は、異なる形状、寸法、剛性、厚さ、色、構造、配置、材料、又は組成物を有してもよい。上述のように、かつ図３に示されるように、横方向補強材はまた、把持構造体含んでもよく、又はこれと一体であってもよい（横方向補強材６０は把持構造体５９と一体に描かれている）。
【００９６】
目安印及び向きの印
インサート及び／又はシャーシは、インサートの一部分のシャーシ内への正しい位置決め及び関連付けを指示する、容易にする及び／又は強要するための１つ以上のインサート目安印を含んでもよい。インサート目安印は、着用可能吸収性物品の最適性能を可能にするように、インサートとシャーシの正しい領域との係合を指示する又は強要するように寸法設定されかつ形成された、言葉の又は言葉でない指示印、視覚的目安印、協働する幾何学的特徴、協働するタイプの締結要素、又は締結要素の協働する設計を含んでもよい。可能な目安印の構成要素の他の例には、１つ以上の協働する色、形状、模様、線、輪郭、シルエット、その他の幾何学的特徴、凸部又は凹部、質感、パターン、目標線又は十字線、ブルズアイ表現等が挙げられ、これらはシャーシ及び／又はインサートの上に配置されて、シャーシ内におけるインサートの正しい位置決めを示す。一例を挙げれば、シャーシの内表面には、インサートの輪郭、又はインサートのシルエットがプリントされてもよい。
【００９７】
目安印はまた、１つはシャーシ２０の上、もう１つはインサート５０の上の少なくとも２つの協働要素を含んでもよく、これら２つの要素が関連付けられると、シャーシ／インサートシステムの各要素は互いに対して適切に向きを定め、最も適切に機能することになる。１つの例では、シャーシの内表面には、インサートの位置を指し示す第１の矢印がプリントされてもよく、インサートには、インサートとシャーシとが正しく相対的に位置決めされると第１の矢印を指し示す第２の矢印がプリントされてもよい。
【００９８】
印は、正しい最適な配置を示す相関性と、間違った準最適な配置を示す非相関性とを認知的に関連付けるか、又は関連付けない。対応の認知的に関連する目安印は、インサート上の印と認知的に関連するシャーシ上の印を含んでもよく、インサートとシャーシとの正しい相対位置決め及び係合をユーザに示す。例えば、インサート上、及びシャーシ上の各認識的に対応する印は、共通の色、形状又は感触を有し得る。本明細書において使用するとき、「共通の色」には、第１の色、及び認識可能な色彩、又はその変化形が挙げられ、これは、物品の全ての特徴を考慮し、別の色から視覚的、かつ認識的に区別可能である。
【００９９】
図２Ｂ、図３及び図４を参照すると、インサート５０が上記のように非対称である場合、最適な前方領域５４は１つだけであり、最適な後方領域５５は１つだけであり得る。同様に、シャーシ２０が上記のように非対称である場合、最適な前側領域２７は１つだけであり、最適な後側領域２８は１つだけであり得る。したがって、これらの非対称の一方又は両方が存在する場合、間違った前後の相対的な向きでシャーシ２０内にインサート５０を設置すると、着用可能吸収性物品が最適に密着及び／又は機能しない可能性がある。したがって、シャーシ２０及び／又はインサート５０に、これらの構成要素の正しいそれぞれの前後の向きをユーザに知らせるように適合された１つ以上の印を組み込むことが、ある状況では望ましくあり得る。そのような印はそのような情報を、機能的に、触覚的に及び／又は視覚的にユーザに提供することができる。
【０１００】
機能的な印は、正しい前後の向きでは適切に、有効に及び／又は最適に機能するが、間違った前後の向きでは適切に、有効に及び／又は最適に機能しないファスナー構成要素を包含し得る。
【０１０１】
例えば、図２Ｂ及び図３を参照すると、シャーシ２０上の前側インサート締結要素３３は、最適な／最大限の締結保証をもたらすために、インサート５０上の前側締結要素５６とだけ協働することができるが、インサート５０上の後側締結要素５７とは協働しない。同様に、シャーシ２０上の後側インサート締結要素３２は、最適な／最大限の締結保証をもたらすために、インサート５０上の後側締結要素５７とだけ協働することができるが、インサート５０上の前側締結要素５６とは協働しない。
【０１０２】
より具体的な例では、シャーシ２０上の前側インサート締結要素３３はループのパッチを有してもよく、インサート５０上の前側締結要素５６はフックのパッチを有してもよい。それに対応して、シャーシ２０上の後側インサート締結要素３２はフックのパッチを有してもよく、インサート５０上の後側締結要素５７はループのパッチを有してもよい。したがって、この具体的な例では、ユーザが誤って、インサート５０上の後側締結要素５７（ループ）をシャーシ２０上の前側インサート締結要素３３（ループ）と締結しようと試みると、適切な又は最適な締結はもたらされず、このことは、正しい／最適な前後の向きでインサートをシャーシに設置するためには、ユーザがインサート５０を１８０度回転させなければならないことを、ユーザに伝達することになる。
【０１０３】
別の具体的な例では、シャーシ２０上の前側インサート締結要素３３は雌スナップ締結要素を有してもよく、インサート５０上の前側締結要素５６は雄スナップ締結要素を有してもよい。それに対応して、シャーシ２０上の後側インサート締結要素３２は雄スナップ締結要素を有してもよく、インサート５０上の後側締結要素５７は雌スナップ締結要素を有してもよい。したがって、この具体的な例では、ユーザが誤って、インサート５０上の後側締結要素５７（雌スナップ締結要素）をシャーシ２０上の前側インサート締結要素３３（雌スナップ締結要素）と締結しようと試みると、要素は互いに適切に密着せず、適切な／最適な締結はもたらされず、このことは、正しい／最適な前後の向きでインサートを設置するためには、ユーザがインサート５０を１８０度回転させなければならないことを、ユーザに伝達することになる。
【０１０４】
このように、機能的な印は、インサート５０及びシャーシ２０が適切に向きを定められると、適切に及び／又は最適に機能して、これらの間に締結及び最大限の締結保証をもたらすが、そうでなければ適切に又は最適に機能しない任意の締結要素を包含することができる。更に、機能的な印は必ずしも締結要素に限られる必要はない。機能的な印はまた、間違った（逆の）、準最適な前後の向きに対して、正しい、最適な前後の向きで、シャーシ及びインサートが互いにどのように密着又は機能するのかに影響を与える、シャーシ及びインサートの他の特徴で具現化されてもよい。このように、機能的な印は、追加的に、シャーシ又はインサートの別の機能要素と関連付けられてもよく、又は組み合わされてもよい。印は、腰部バンド、サイドパネル、伸張要素、レッグカフ、物理的保持締結要素（例えば、ポケット又は保持ストラップ）等などのシャーシの要素と関連付けられてもよい。印は、腰部キャップ、腰部バンド、起立カフ、糞便管理機能、インサート位置決め補助具、インサート補強補助具、インサート取り外し補助具、又はインサート廃棄補助部などのインサートの要素と関連付けられてもよい。
【０１０５】
以上から、他の形態の機能的な向きの印が、上記説明の原理の範囲内で可能であることが理解されるであろう。
【０１０６】
他の可能な例では、上記のような対応の機能的に協働する／協働しない要素対に代えて、インサート５０及びシャーシ２０は、触覚性又はその他の知覚的な印のような対応の非機能的な印を有してもよい。
【０１０７】
例えば、前側インサート及びシャーシ締結要素は、第１の触覚性の特性を有するように選択又は形成されてもよく、後側インサート及びシャーシの要素は、第２の触覚性の特性を有するように選択又は形成されてもよい。別の例では、インサート及びシャーシの特徴は、最適な前後の向きで噛み合う又は幾何学的に協働するが、逆の準最適な前後の向きでは噛み合わない又は幾何学的に協働しない三次元形状などの特徴を有してもよい。
【０１０８】
他の可能な例では、上記のような対応の機能的に協働する／協働しない締結要素対又は触覚性の印要素に代えて又はこれに加えて、インサート５０及びシャーシ２０は対応の視覚的印を有してもよい。シャーシ２０は、前側領域２７及び後側領域２８の上にそれぞれ配置される対応の前側及び後側視覚的印７３、７４を有してもよい。インサート５０及びシャーシ２０上に配置される対応の視覚的印は、シャーシ２０内のインサート５０の正しい／最適な向き及び配置の視覚的合図をユーザに提供するように適合され得る。
【０１０９】
例えば、視覚的印及び視覚的合図の構成要素は、共通の色を使用するものであってもよい。１つの具体的な例では、シャーシ２０上に配置される前側及び／又は後側視覚的印７３、７４は、相互に可視的に区別できる対応の共通の色を含んでもよい。インサート５０は、そこに配置される又は具現化される対応の協働する印を有してもよい。したがって、例えば、インサート５０の上の前部及び後方ユーザ把持構造体５９、６１は、前方及び／又は後方視覚的印７３、７４に含まれる色とそれぞれ共通の及びその色に対応する色を有してもよく又はこの色で着色されてもよい。より詳細には、例えば、前方視覚的印７３及び、前方ユーザ把持構造体５９などのインサートの特徴は、共に第１の共通の色を有してもよく又はこの色で着色されてもよく、後方視覚的印７４、及び後方ユーザ把持構造体６１などの特徴の一方又は両方は、第１の共通の色と可視的に識別可能な第２の共通の色で着色されてもよい。
【０１１０】
別の具体的な例では、シャーシ２０上に配置される前側及び後側視覚的印７３、７４は、前部若しくは後部ユーザ把持構造体５９、６１などのインサートの特徴の上に具現化された又は描かれた対応する形状と一致する、又は認知的に相関する、視覚的に相関する対応の形状の画像を具現化してもよく、又は該画像を有してもよい。より詳細には、例えば、前側の視覚的印７３及び前部ユーザ把持構造体５９は共に円の画像を具現化又は有してもよく、後側の視覚的印７４及び後部ユーザ把持構造体６１は共に三角形の画像を具現化又は有してもよい。
【０１１１】
別の特定の例では、シャーシ２０上に配置される前側及び後側視覚的印７３、７４は、「前側」及び「後側」の言葉又は記号による表示の画像を有して、前部及び後部ユーザ把持構造体５９、６１などのインサートの特徴の上の対応する言葉又は記号による表示と一致させてもよい。更なる特定の例では、前方視覚的印７３及び前方ユーザ把持構造体５９は共に、文字「Ｆ」（すなわち、「前方」）の画像を有してもよく、後方視覚的印７４及び後方ユーザ把持構造体６１は共に、文字「Ｒ」（すなわち、「後方」）の画像を有してもよい。
【０１１２】
別の特定の例では、シャーシ２０上に配置される前側及び／又は後側視覚的印７３、７４は、期待通りにユーザが認識可能な形状、キャラクター、物体等のそれぞれの一部分の画像を具現化又は有して、前部及び／又は後部ユーザ把持構造体５９、６１などのインサートの特徴の上に具現化された又は描かれた期待通りにユーザが認識可能な形状、キャラクター、物体等の対応する一部分と一致させてもよい。更なる特定の例では、前方視覚的印７３及び前方ユーザ把持構造体５９は共に、適切に合体されると、期待通りにユーザが認識可能な第１の形状、キャラクター、物体等の認知的に完全な画像を形成する第１の画像のそれぞれの一部分を具現化又は有してもよく；及び／又は後方視覚的印７４及び後方ユーザ把持構造体６１は共に、適切に合体されると、期待通りにユーザが認識可能な第２の形状、キャラクター、物体等の認知的に完全な画像を形成する、第１の画像と異なる第２の画像のそれぞれの一部分を具現化又は有してもよい。
【０１１３】
更に別の特定の例では、視覚的な向きの印は、シャーシ２０及びインサート５０の上にそれぞれ表示される視覚的印の単一対に単純化されてもよい。１つのそのような例では、シャーシ２０の内表面２５は、前側縁部２１を長手方向に指す矢印の画像を有してもよく、インサート５０は、その前方末端部を長手方向に指す矢印の画像を有してもよい。
【０１１４】
向き情報を提供するように適合された他の好適な視覚的な向きの印の例には、言葉を含む英数字テキスト、矢印、記号、図形、絵文字、アイコン、漫画、概念図、及び任意のその他の視覚的印を挙げることができる。
【０１１５】
ユーザが両方の組の印を見るとき、シャーシ及びインサートの前側部分に関連する印は、シャーシ及びインサートの後側部分に関連する印と、認知的でなく相関する、又は認知的に相関しない、及び逆もまた同様であるのが望ましくあり得る。
【０１１６】
以上から、他の形態の視覚的な向きの印が、上記説明の原則の範囲内で可能であることが理解されるであろう。
【０１１７】
本明細書に記載の特徴のいくつか又は全てを有する二部分からなる着用可能な吸収性物品は、従来の完全に再利用可能な布おむつ及び従来の完全に使い捨てのおむつの両方に優る利点を提供することができる。シャーシを形成するために半耐久性の材料及びより耐久性のある材料を使用することに関する潜在性は、２回以上使用することができる、及び選択される材料によっては何度も使用及び洗濯することができるシャーシを提供する。本明細書に記載の特徴のいくつか又は全てを有するシャーシは、使い捨てシャーシ構造体の必要性を排除することができるので、典型的な使い捨ておむつと比べて、ユーザが廃棄しなければならない汚れた廃棄物の量が低減される。更に、通常使い捨ておむつにかかる構造負荷のほとんどを支持する再利用可能なシャーシの可能性が提起されるので、使い捨ての吸収部分はより簡略化された設計を有して、使い捨ておむつと比べて製造費及び材料費を低減することができる。非従来型の再生可能な材料（例えば紙）の使い捨て可能な吸収性インサートを製造する可能性が提起される。同時に、本明細書に記載の特徴のいくつか又は全てを有する使い捨て吸収性インサート及びシャーシは、多くの状況において、着用者の排出物によるシャーシの汚れのほとんど又は全てを防いで、取り扱い及び保管に付随する衛生及び臭気問題を軽減し、必要な洗濯頻度を低減し、かつ従来の布おむつに付随する洗濯資源、労力及び／又は出費の必要性を低減することができる。本明細書に記載の特徴のいくつか又は全てを有する使い捨て可能な吸収性インサートは、従来の布おむつと比べて、排出物をより良好に吸収し、かつ着用者の皮膚、並びに着用者の衣類及び環境から排出物をより良好に隔離することも可能である。
【０１１８】
シャーシに耐久性のある材料を使用することで、使い捨ておむつと比べて改善された及び／又はより魅力的な快適性、密着、デザイン、色、模様等を目的として材料の使用の選択肢を創出する際に、その他の付帯利益を提供することも可能である。本明細書に記載の特徴を有するシャーシは、着用可能吸収性物品をより魅力的に見せる及び／又はより衣類品又は外出着のように見せるための多種多様な選択肢を提供する。上記の利点に加えて、非対称構造及び向きの印を有するインサートを使用することにより、前側と後側で異なる着用者の生体構造及び身体機能に合わせたインサートの設計、より良好な性能、並びに材料の設計、構成、及び使用の更なる節約が可能になるのと同時に、ユーザがシャーシ内におけるインサートの正しい前後の向きを確実にすることができる。上記の説明からその他の利点が明らかである。
【０１１９】
任意の代替の実施形態を含め、本明細書に開示される再利用可能なシャーシ及び吸収性インサートは、本明細書に開示の、又は当該技術分野で既知のいずれかの方法で構成され、組み立てられる。
【０１２０】
様々な実施形態において、本明細書に開示のいずれかの再利用可能なシャーシ、いずれかの吸収性インサート、及び得られる着用可能な吸収性物品は、以下：米国特許出願公開第２０１００１７９４９６号、表題「Ｄｉｓｐｏｓａｂｌｅ  Ａｂｓｏｒｂｅｎｔ  Ｉｎｓｅｒｔ  ｆｏｒ  Ｔｗｏ−Ｐｉｅｃｅ  Ｗｅａｒａｂｌｅ  Ａｂｓｏｒｂｅｎｔ  Ａｒｔｉｃｌｅ」、同第２０１００１７９４９８号、表題「Ｒｅｕｓａｂｌｅ  Ｗｅａｒａｂｌｅ  Ａｂｓｏｒｂｅｎｔ  Ａｒｔｉｃｌｅｓ  ｗｉｔｈ  Ａｎｃｈｏｒｉｎｇ  Ｓｙｓｔｅｍｓ」、同第２０１００１７９４９９号、表題「Ｒｅｕｓａｂｌｅ  Ｏｕｔｅｒ  Ｃｏｖｅｒｓ  ｆｏｒ  Ｗｅａｒａｂｌｅ  Ａｂｓｏｒｂｅｎｔ  Ａｒｔｉｃｌｅｓ」、同第２０１００１７９５００号、表題「Ｔｗｏ−Ｐｉｅｃｅ  Ｗｅａｒａｂｌｅ  Ａｂｓｏｒｂｅｎｔ  Ａｒｔｉｃｌｅ」、同第２０１００１７９５０１号、表題「Ｏｕｔｅｒ  Ｃｏｖｅｒ  ｆｏｒ  Ｔｗｏ−Ｐｉｅｃｅ  Ｗｅａｒａｂｌｅ  Ａｂｓｏｒｂｅｎｔ  Ａｒｔｉｃｌｅ」、同第２０１１０１７２６２２号、表題「Ａｒｔｉｃｌｅ  ｏｆ  Ｃｏｍｍｅｒｃｅ  Ｉｎｃｌｕｄｉｎｇ  Ｔｗｏ−Ｐｉｅｃｅ  Ｗｅａｒａｂｌｅ  Ａｂｓｏｒｂｅｎｔ  Ａｒｔｉｃｌｅ」、同第２０１００１７９５０２号、表題「Ｒｅｕｓａｂｌｅ  Ｗｅａｒａｂｌｅ  Ａｂｓｏｒｂｅｎｔ  Ａｒｔｉｃｌｅｓ  ｗｉｔｈ  Ａｎｃｈｏｒｉｎｇ  Ｓｙｓｔｅｍｓ」、同時係属米国特許出願第１２／７８５，１５２号、表題「Ｉｎｓｅｒｔ  Ｗｉｔｈ  Ａｄｖａｎｔａｇｅｏｕｓ  Ｆａｓｔｅｎｅｒ  Ｃｏｎｆｉｇｕｒａｔｉｏｎｓ  ａｎｄ  Ｅｎｄ  Ｓｔｉｆｆｎｅｓｓ  Ｃｈａｒａｃｔｅｒｉｓｔｉｃｓ  ｆｏｒ  Ｔｗｏ−Ｐｉｅｃｅ  Ｗｅａｒａｂｌｅ  Ａｂｓｏｒｂｅｎｔ  Ａｒｔｉｃｌｅ」、同第１２／７８５，１６６号、表題「Ｉｎｓｅｒｔ  Ｗｉｔｈ  Ａｄｖａｎｔａｇｅｏｕｓ  Ｆａｓｔｅｎｅｒ  Ｃｏｎｆｉｇｕｒａｔｉｏｎｓ  Ａｎｄ  Ｅｎｄ  Ｓｔｉｆｆｎｅｓｓ  Ｃｈａｒａｃｔｅｒｉｓｔｉｃｓ  Ｆｏｒ  Ｔｗｏ−Ｐｉｅｃｅ  Ｗｅａｒａｂｌｅ  Ａｂｓｏｒｂｅｎｔ  Ａｒｔｉｃｌｅ」、同第１２／７８５，１８１号、表題「Ｉｎｓｅｒｔ  Ｗｉｔｈ  Ａｄｖａｎｔａｇｅｏｕｓ  Ｆａｓｔｅｎｅｒ  Ｃｏｎｆｉｇｕｒａｔｉｏｎｓ  Ａｎｄ  Ｅｎｄ  Ｓｔｉｆｆｎｅｓｓ  Ｃｈａｒａｃｔｅｒｉｓｔｉｃｓ  Ｆｏｒ  Ｔｗｏ−Ｐｉｅｃｅ  Ｗｅａｒａｂｌｅ  Ａｂｓｏｒｂｅｎｔ  Ａｒｔｉｃｌｅ」、同第１２／８４１，５５３号、表題「Ｔｗｏ−Ｐｉｅｃｅ  Ｗｅａｒａｂｌｅ  Ａｂｓｏｒｂｅｎｔ  Ａｒｔｉｃｌｅ  Ｗｉｔｈ  Ａｄｖａｎｔａｇｅｏｕｓ  Ｆａｓｔｅｎｅｒ  Ｐｅｒｆｏｒｍａｎｃｅ  Ｃｏｎｆｉｇｕｒａｔｉｏｎｓ」、同第１２／８４１，４６７号、表題「Ｆｌｅｘｉｂｌｅ  Ｒｅｕｓａｂｌｅ  Ｏｕｔｅｒ  Ｃｏｖｅｒｓ  Ｆｏｒ  Ｄｉｓｐｏｓａｂｌｅ  Ａｂｓｏｒｂｅｎｔ  Ｉｎｓｅｒｔｓ」、及び同第１２／８４１，６００号、表題「Ｈｉｇｈ−Ｃａｐａｃｉｔｙ  Ｄｉｓｐｏｓａｂｌｅ  Ａｂｓｏｒｂｅｎｔ  Ｉｎｓｅｒｔｓ  Ｆｏｒ  Ｒｅｕｓａｂｌｅ  Ｏｕｔｅｒ  Ｃｏｖｅｒｓ」のいずれかに記載のように構成されてもよく、これらはそれぞれ参照により援用される。
【０１２１】
試験サンプルの収集
横方向伸張性試験方法に関して、以下のとおり収集された試験サンプルを使用する。試験サンプルは、再利用可能なシャーシから収集される。再利用可能なシャーシは、再利用可能として構成されている全てのシャーシ構造及び機構を含むが、再利用可能として構成されていないシャーシ構造及び機構は含まない。例えば、洗濯機洗い可能な布地の外側カバーは、再利用可能なシャーシの部分として見なされる。他の例として、外側カバーの内側に適合するように構成されている、洗濯可能な液体不透過性バリアも、再利用可能なシャーシの部分として見なされる。吸収性インサートは、シャーシの一部として見なされず、よって吸収性インサートは再利用可能なシャーシの部分ではない。
【０１２２】
再利用可能なシャーシが液体不透過性バリアを含む場合、バリアをシャーシに対して使用時の位置には配置する。バリアがシャーシに取り付けられる場合、そのバリアが完全にかつ正しくその使用時の位置に取り付けられるように、バリアをシャーシに取り付ける。
【０１２３】
再利用可能なシャーシの前方腰部縁部を再利用可能なシャーシの後方腰部縁部と位置合わせし、それと同時に、前方の長手方向中心線の部分は、後方の長手方向中心線の部分と重なり、これは二つ折りの構成である。二つ折りの構成を維持しながら、シャーシの前方の外側が上方を向くように、シャーシを清浄で、平滑で、平坦な水平の作業面（例えばテーブル面）上に置く。
【０１２４】
前方腰部縁部が作業面に対して後方腰部縁部保持するように、前方腰部縁部をしっかり折り畳み、シャーシの二つ折りの構成を維持し続ける。前方腰部縁部を折り畳んだままで、シャーシを作業面に対してゆっくり、連続的に、徐々に平坦にするために、片方の手を使用して、シャーシの腰部縁部から股部分まで平滑及び押圧動作をする。平坦化が完了すると、再利用可能なシャーシの股部分を平坦に保持し続け、シャーシの股部分において二つ折られた横方向で最も遠い外側の範囲である長手方向中心線に沿った点に、シャーシの外側でマークを付ける。
【０１２５】
再利用可能なシャーシが液体不透過性バリアを含む場合バリアにマークを付けるために、以下の工程を実施する。股部分を平坦に保持し続けならが、バリアと重なるシャーシの前方の部分上でしっかりと折り畳む。これはバリアを二つ折りの構成に配置し続ける。前方の重なり部分を保持したまま、シャーシの前方腰部縁部上で保持を解放する。バリアがシャーシに取り付けられている場合は、前方の重なり部分を折り畳んだまま、シャーシの前方からバリアをできるだけ取り外すが（折り畳みは保持したまま）、シャーシの後方からはバリアを取り外さない。シャーシの前方の一部分を後方に折り返し、バリアの前方縁部を露出させる。前方の重なり部分は折り畳んだまま、バリアの前方縁部をしっかりと折り畳む。次いで、シャーシの前方の重なり部分上で折り畳み部を開放する。前方縁部が、シャーシの後方に対してバリアの後方を保持するように、バリアの前方縁部を固く折り畳み続けることによって、バリアの二つ折り構成を維持する。バリアとシャーシの前方との間の全ての残っている接続は引き離す。バリアのシャーシに面する側の前方を完全に露出させるように、シャーシの前方の残りを折り返す。バリアの前方縁部を折り畳んだままで、片方の手を使用して、シャーシの後方に向かってバリアをゆっくり、連続的に、徐々に平坦にするために、バリアの前方縁部から股部分まで平滑及び押圧動作をする。平坦化が完了すると、バリアの股部分を平坦に保持し続け、バリアの股部分において、横方向に二つ折りにされた最も遠い外側の範囲である、長手方向中心線に沿った点で、バリアのシャーシに面する側にマークを付ける。この後、シャーシから完全にバリアを外し、以下に記載の切断及びマーキングのために、シャーシからバリアを分離する。
【０１２６】
シャーシ材料の最小限の量を取り除くために、切断線を伸縮素材に直接隣接させながら、脚部の伸縮素材の周囲全てにわたって連続的に切断することによって、再利用可能なシャーシから任意の脚部の伸縮素材を切り離す。シャーシの外側が上方を向くように、シャーシを清浄で、平滑で、平坦な水平の作業面（例えばテーブル面）上に置く。前方腰部縁部が真っ直ぐ及び平坦になるように、前方腰部縁部を作業面に固定する。後方腰部縁部を前方腰部縁部と平行に維持したまま（並びに、シャーシの長手方向中心線を、腰部縁部に垂直に維持したまま）、皺及びたるみが再利用可能なシャーシから取り除かれるまで（しかし、シャーシは伸張状態には延ばされていない）、後方腰部縁部を、前方腰部縁部から長手方向に外側に引き、次いで作業面に対して後方腰部縁部を固定し、この引張った平坦な状態でシャーシを保持する。
【０１２７】
再利用可能なシャーシが引っ張られた状態で固定されたまま、シャーシの外側に３本の線を描く。第１に、横方向軸を描き、これはシャーシの外側にわたって横方向に描かれた真っ直ぐな線であり、上記のとおり、外側上にマークされた点を通る。第２に、横方向軸に平行に、第２の線を横方向軸から５１ｍｍ（前方に向かって）長手方向にオフセットして描く。第３に、横方向軸に平行に、第３の線を横方向軸から５１ｍｍ（後方に向かって）長手方向にオフセットして描く。
【０１２８】
（上記のとおり外側上にマークされている）第２の線及び第３の線に沿って、再利用可能なシャーシを最初から最後まで、かつこのシャーシ横方向全てを、一気に切断することによって、試験サンプルのシャーシ部分を作る。試験サンプルは、第２の線と第３の線との間の部分に接続されている、再利用可能なシャーシの構造体の全てを含み、シャーシの全ての層と、及び第２の線と第３の線との間でシャーシに取り付けられている、いずれかのシャーシの機構とを含む。切断されていない再利用可能なシャーシと同じ相対位置に、個々の層が一緒になるようにしながら、試験サンプルを再利用可能なシャーシの残りの部分から取り外す。再利用可能なシャーシが液体不透過性バリアを含まない場合、シャーシ部分自体が試験サンプルを形成する。
【０１２９】
再利用可能なシャーシが液体不透過性バリアを含む場合試験サンプルのバリア部分を作るために、以下の工程を実施する。シャーシ材料の最小限の量を取り除くために、切断線を伸縮素材に直接隣接させながら、脚部の伸縮素材の周囲全てにわたって一気に切断することによって、再利用可能なシャーシから任意の脚部の伸縮素材を切り離す。バリアのシャーシに面する側が上方を向くように、バリアを清浄で、平滑で、平坦な水平の作業面（例えばテーブル面）上に置く。前方腰部縁部が真っ直ぐに及び平坦になるように、バリアの前方腰部を作業面に固定する。バリアの後方縁部をバリアの前方縁部と平行に維持したまま（並びに、バリアの長手方向中心線を、前方縁部及び後方縁部に垂直に維持したまま）、皺及びたるみがバリアから取り除かれるまで（しかし、バリアは伸張状態には延ばされていない）、後方縁部を、前方縁部から長手方向に外側に引き、次いで作業面に対して後方縁部を固定し、この引張った平坦な状態でバリアを保持する。再利用可能なバリアは、引っ張られた状態で固定されたまま、バリアのシャーシに面する側上で３本の線を描く。第１に、横方向軸を描き、これはバリアのシャーシに面する側にわたって横方向に描かれた真っ直ぐな線であり、上記に記載の外側上にマークした点を通る。第２に、横方向軸に平行に、（前方に向かって）横方向軸から５１ｍｍ長手方向にオフセットして第２の線を描く。第３に、横方向軸に平行に、（後方に向かって（toward the front））横方向軸から５１ｍｍ長手方向にオフセットして第３の線を描く。（上記のとおり外側上にマークされている）第２の線及び第３の線に沿って、バリアを全体を、かつこのバリア横方向全てを、一気に切断することによって、試験サンプルのシャーシ部分を作る。試験サンプルは、第２の線と第３の線との間の部分に接続されている、再利用可能なバリアの構造体の全てを含み、バリアの全ての層と、及び第２の線と第３の線との間でバリアに取り付けられている、いずれかのバリアの機構とを含む。バリアと同じ相対位置に、個々の層が保持されるようにしながら、試験サンプルをバリアの残りの部分から取り外す。
【０１３０】
再利用可能なシャーシが液体不透過性バリアを含む場合、試験サンプルを形成するために以下に記載のように、シャーシ部分及びバリア部分を組み合わせる。シャーシの内側が上方を向くように、試験サンプルのシャーシ部分を清浄で、平滑で、平坦な水平の作業面（例えばテーブル面）上に置く。シャーシ部分の上部の上に試験サンプルのバリア部分を置き、バリア部分のシャーシに面する側は、シャーシの内側に対して下方を向いている。シャーシ部分の第２の線を、バリア部分の第２の線と位置合わせし、一方で、バリア部分の長手方向の中心線の部分がシャーシ部分の長手方向の中心線の部分と重なる。横方向伸張試験方法で使用するために、シャーシ部分及びバリア部分を同じ相対位置において保持する。
【０１３１】
横方向伸張性試験方法
横方向伸張性試験方法は、コンピュータとインターフェイス接続された市販の引張試験機（例えば、Ｉｎｓｔｒｏｎ  Ｅｎｇｉｎｅｅｒｉｎｇ  Ｃｏｒｐ．（Ｃａｎｔｏｎ，ＭＡ）のもの、ＳＩＮＴＥＣＨ−ＭＴＳ  Ｓｙｓｔｅｍｓ  Ｃｏｒｐｏｒａｔｉｏｎ（Ｅｄｅｎ  Ｐｒａｉｒｉｅ，ＭＮ）のもの、又は同等物）を利用する。コンピュータを使用して、試験速度及び他の試験パラメータを制御し、データの収集、計算、及び報告をする。引張試験機（更なる情報が必要な場合、例えば、把持部の高さはゲージ長さに影響）の把持部は、平坦なゴムの向かい合った把持部（高さ２．５４ｍｍ及び少なくとも１０２ｍｍ幅）である。また、グリップは、試験サンプルが試験中に滑らないことを確実にするのに十分な力を提供しなくてはならない。引張試験機のロードセルは、試験サンプルからの引張応答が、使用されるロードセルの容量の２５％〜７５％になるように選択される。製造業者の説明書に従って引張り試験機を較正する。
【０１３２】
「試験サンプルの収集」の項で記載されるように収集された試験サンプルを使用する。試験は、２３℃±２℃及び相対湿度５０％±２％の実験室条件下で行われる。サンプルは、試験前に２４時間、実験室の条件で調整された。
【０１３３】
試験サンプルは、以下に記載のように引張試験機の把持部の平坦部に載置される。試験サンプルの層の全ては、引張試験機の上方把持部と下方把持部との間で保持される。再利用可能なシャーシの横方向が、引張試験機のゲージ長さの方向と平行になるように、把持部によって試験サンプルを保持される。閉じたときに、各端部の内面は、再利用可能なシャーシの長手方向と平行であり、各把持部は、第２の線から第３の線までを試験サンプルを連続的に保持する。
【０１３４】
試験サンプルがバリア部分を含む場合、バリア部分の一方の面の横方向に最も内側の部分は、上方把持部が閉じるとき、上方把持部の内側面の上方に５〜１０ｍｍ延びなければならず、下方把持部が閉じるとき、バリア部分の他方の面の横方向に最も内側の部分は、下方把持部の内側面の下に５〜１０ｍｍ延びなければならない。
【０１３５】
試験サンプルを上方把持部に対して、上記のとおり配置し、次いで試験サンプル上で上方把持部を閉じる。下記のとおり、試験サンプルに対してゲージ長さを設定する。試験サンプルが上方把持部によって保持される一方で、試験前のサンプルは下方把持部で保持される前に、サンプルが垂れ下がるようにする。把持部を、試験サンプルが下方把持部に対して上記のように位置しており、試験サンプルは延ばされないが、全てのたるみは取り除かれた状態である、最大距離まで移動し、次いで下方把持部を試験サンプルの上で閉じる。上方把持部面の底部縁部と底部把持部面の上方縁部との間の距離がゲージ長さである。ゲージ長さを記録する。
【０１３６】
引張試験機を使用して、１００ｍｍ／分の一定のクロス・ヘッド速度で、５０％の歪みまで、試験サンプルを延ばす。例えば、１００ｍｍのゲージ長さに関して、１５０ｍｍの伸張長さに対して５０％の歪みは５０ｍｍの伸張を表す。
【０１３７】
コンピュータデータシステムが、伸張中に試験サンプルにかけられる力を記録する。作り出された、得られたデータから、身体ゾーンの横方向の伸張性を、試験サンプルの幅（１０２ｍｍ）の幅によって除された（５０％歪みでの）ニュートンで記録する。これは全て歪みによって除される。すなわち：
【０１３８】
【数１】
2014533151.tif 000003
ニュートン／ｍｍ（Ｎ／ｍｍ）の単位で横方向伸張性を記録する。横方向伸張性を計算するときに、試験サンプルのいずれか他の寸法（例えば厚さ）を考慮にいれないこと。
【０１３９】
十分な物品が利用可能である場合、３つの試験サンプルに関して横方向伸張性試験方法を繰り返す。十分な物品が利用可能でない場合、利用可能な物品から作成され得るできるだけ多くの試験サンプルに関して、横方向伸張性試験方法を繰り返す。横方向伸張性に関する試験サンプル値の平均をとる。
【０１４０】
耳部伸張性試験方法
耳部伸張性試験方法は、コンピュータとインターフェイス接続された市販の引張試験機を利用する。引張試験機の把持部は、平坦な表面を有し、５０ｍｍ幅でなければならない。また、グリップは、試験サンプルが試験中に滑らないことを確実にするのに十分な力を提供しなくてはならない。引張試験機のロードセルは、試験サンプルからの引張応答が、使用されるロードセルの容量の２５％〜７５％であるように選択される。製造業者の説明書に従って引張り試験機を較正する。
【０１４１】
試験は、２３℃±２℃及び相対湿度５０％±２％の実験室条件下で行われる。サンプルは、試験前に２４時間、実験室の条件で調整された。
【０１４２】
前方腰部ゾーン又は後方腰部ゾーンにおける耳部の横方向伸張性を試験するために、以下のとおり試験サンプルを使用する。試験サンプルは再利用可能なシャーシである。再利用可能なシャーシは、再利用可能として構成されている全てのシャーシ構造及び機構を含むが、再利用可能として構成されていないシャーシ構造及び機構のいずれも含まない。
【０１４３】
試験サンプルは、以下に記載のように引張試験機の把持部の平坦部に載置される。再利用可能なシャーシの身体ゾーンの横方向が、引張試験機のゲージ長さの方向と平行になるように、把持部によって試験サンプルが保持される。閉じたときに、各端部の内面は、再利用可能なシャーシの長手方向と平行であり、各把持部は、試験サンプルを把持部の幅にわたって連続的に保持する。
【０１４４】
試験サンプルを上方把持部に対して、下記のとおり配置し、次いで試験サンプル上で把持部を閉じる。耳部が締結具を有する場合、把持部の内側面が、締結具上で最も遠位の横方向内側の点で位置合わせされるように締結具上に把持部を位置付け、締結具は把持部上で長手方向に中心を合わせる。耳部が締結具を有さない場合、最も遠位の耳部の横方向外側の部分上に把持具を配置し、ここでは各把持具は把持具の幅にわたって試験サンプルを保持することができる。
【０１４５】
試験サンプルが上方把持部によって保持される一方で、試験サンプルは下方把持部で保持される前に、サンプルが垂れ下がるようにする。試験サンプルが下方把持部に対して上記のように位置しており、試験サンプルは延ばされないが、全てのたるみは取り除かれた状態である、最大距離まで把持部を移動する。次いで下方把持部を試験サンプルの上で閉じる。
【０１４６】
引張試験機を使用して、１００ｍｍ／分の一定のクロス・ヘッド速度で、２００ｍｍ試験サンプルを延ばす。コンピュータデータシステムが、伸張中に試験サンプルにかけられる力を記録する。生成された得られたデータから、耳部の伸張性を（２００ｍｍの伸張における）ニュートンで記録する。
【０１４７】
十分な物品が利用可能である場合、３つの試験サンプルに関して耳部伸張性試験方法を繰り返す。十分な物品が利用可能でない場合、利用可能な物品から作成され得るできるだけ多くの試験サンプルに関して、耳部伸張性試験方法を繰り返す。耳部伸張性に関する試験サンプル値の平均をとる。
【０１４８】
寸法決定方法
様々な寸法及びその割合が本明細書に指定される。各寸法は、以下の方法に従って測定される。全ての試験は、約２３℃±２℃及び約５０％±２％相対湿度で維持された調整室内で行なわれる。本明細書において、試料の幅及び長さは、本明細書に定義されるように、横方向幅及び長手方向長さである。試験前に２時間、試料を約２３℃±２℃及び相対湿度約５０％±２％で予調整する。
【０１４９】
物品を以下のとおり、試験用に調製する：
１．シャーシ材料の最小限の量を取り除くために、切断線を伸縮素材に直接隣接させながら、脚部の伸縮素材の周囲全てにわたって連続的に切断することによって、再利用可能なシャーシから任意の脚部の伸縮素材を切り離す。
２．物品を実質的に平坦で水平な表面上に配置する。
３．全てのプロセスが誘発する収縮が引っ張られように、物品を表面に固定する。物品は、クランプ又はプロセスが誘発する収縮が引っ張られる状態で、吸収性コアアセンブリを保持することができる接着性テープを用いて、平坦な水平表面に固定される。
４．本明細書に含まれる定義に従って、物品が測定されるべき部分はどの幅間の点及び／又はどの長さ間の点かを特定する。
５．ＮＩＳＴにトレース可能な鋼尺を使用して、（四捨五入して）１ｍｍ単位でそれぞれ必要な寸法を測定する。
【０１５０】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味するものである。
【０１５１】
あらゆる相互参照又は関連特許若しくは特許出願を含む、本明細書に引用される文献は全て、明白に除外される、ないしは別の方法で限定されている場合を除いて、本明細書中にその全容を援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１５２】
本発明の特定の実施形態が例示され記載されてきたが、本発明の趣旨及び範囲から逸脱することなく他の様々な変更及び修正を実施できることが、当業者には自明であろう。したがって、添付した特許請求の範囲はそのような変更及び修正の全てを含み、上記のいかなる説明又は図面も本明細書の範囲を制限せず、添付の特許請求の範囲だけがこれらを制限するものとする。
【図１】
2014533151.tif 000004
【図２Ａ】
2014533151.tif 000005
【図２Ｂ】
2014533151.tif 000006
【図３】
2014533151.tif 000007
【図４】
2014533151.tif 000008
【図５Ａ】
2014533151.tif 000009
【図５Ｂ】
2014533151.tif 000010
【図５Ｃ】
2014533151.tif 000011
【図５Ｄ】
2014533151.tif 000012
【図５Ｅ】
2014533151.tif 000013
【図５Ｆ】
2014533151.tif 000014
【国際調査報告】
2014533151.tif 000015
2014533151.tif 000016